(57)【要約】【課題】  従来より効率よく水道メータの着脱作業を行うことが可能な水道メータシステムの提供を目的とする。【解決手段】  本実施形態によれば、可動部材３０Ａを第１と第２の位置の間で移動する一操作で、水道メータ２０Ａの上流側と下流側の端部流路１２，１３の両方を一度に開閉することができ、従来より効率よく水道メータ２０Ａの着脱作業を行うことが可能になる。また、可動部材３０Ａを止水位置に配置すると可動部材３０Ａが止水部として機能して、水道メータ２０Ａよりも上流側と下流側との両方から水道水が可動部材３０Ａの内側に流れ込まなくなるので、水道メータ２０Ａを取り外した後の中間金具１０Ａからの水道水の放水が防がれる。【選択図】  図４
2006275588.tif 000002
【特許請求の範囲】
【請求項１】
水道メータを中間金具に着脱可能に組み付けてなる水道メータシステムであって、前記中間金具には、水道管に接続される１対の水道管接続部と、上流側の前記水道管接続部に連通した上流側端部流路と、下流側の前記水道管接続部に連通した下流側端部流路とが形成され、水道水が前記上流側端部流路から前記水道メータを通過して前記下流側端部流路に流れるようにした水道メータシステムにおいて、
前記中間金具に設けられて、第１の位置と第２の位置との間で移動操作可能な可動部材を設け、前記可動部材が前記第１の位置に配置された場合には、前記上流側端部流路と前記水道メータとの間及び前記下流側端部流路と前記水道メータとの間が共に連通する一方、前記可動部材が前記第２の位置に配置された場合には、前記上流側端部流路と前記水道メータとの間及び前記下流側端部流路と前記水道メータとが共に断絶するように構成したことを特徴とする水道メータシステム。
【請求項２】
前記可動部材に、前記上流側端部流路と前記下流側端部流路とに対応した上流側中継流路と下流側中継流路とを形成し、
前記可動部材が前記第１の位置に配置された場合には、前記上流側端部流路と前記上流側中継流路との間及び前記下流側端部流路と前記下流形中継流路との間が共に連通して、水道水が前記上流側端部流路から前記水道メータを通過して前記下流側端部流路に流れる一方、前記可動部材が前記第２の位置に配置された場合には、前記上流側端部流路と前記上流側中継流路との間及び前記下流側端部流路と前記下流形中継流路とが共に断絶するように構成したことを特徴とする請求項１に記載の水道メータシステム。
【請求項３】
前記可動部材は、円筒状をなしかつ内部に前記水道メータを受容すると共に、前記上流側中継流路及び前記下流形中継流路は、前記可動部材の周方向に離して配置され、
前記中間金具には、前記可動部材が嵌合可能なメータ受容部が形成されると共に、前記上流側端部流路及び前記下流側端部流路の各開口は、前記メータ受容部の周方向に離して配置され、前記可動部材は、前記メータ受容部に対して回動操作されて、前記第１の位置と前記第２の位置との間を移動するように構成されたことを特徴とする請求項２に記載の水道メータシステム。
【請求項４】
前記水道メータは、前記可動部材の内部に嵌合される円柱形状をなしかつその径方向に貫通した計測流路を有し、前記計測流路を流れる水道水の通過体積を、超音波、電磁誘導又は羽根車を利用して計量するように構成され、
前記可動部材が前記第１の位置に配置された場合に、前記上流側端部流路及び前記下流側端部流路の各開口と、前記上流側中継流路及び前記下流形中継流路と、前記計測流路とが同軸線上に配置されるように構成したことを特徴とする請求項３に記載の水道メータシステム。
【請求項５】
前記可動部材の一端部を前記水道メータシステムの外側に露出し、その露出部分に前記可動部材を操作するための操作部を備えたことを特徴とする請求項３又は４に記載の水道メータシステム。
【請求項６】
前記可動部材のうち前記水道メータが挿入される側の端部開口と反対側の端部壁を前記中間金具から露出し、その露出部分に前記可動部材を操作するための操作レバーを設けたことを特徴とする請求項３又は４に記載の水道メータシステム。
【請求項７】
前記可動部材と前記水道メータとの間には、前記可動部材の内部への水道メータの挿抜を許容する一方、前記可動部材と前記水道メータとが一体回転するように係合する凸部及び凹部を備えたことを特徴とする請求項３又は４に記載の水道メータシステム。
【請求項８】
前記凸部は、前記可動部材と前記水道メータとの一方の周面から側方に突出形成され、前記凹部は、前記可動部材と前記水道メータとの他方の周面に形成され、前記可動部材と前記水道メータとの嵌合方向に延びた溝状をなしたことを特徴とする請求項７に記載の水道メータシステム。
【請求項９】
前記可動部材に形成されて、前記可動部材が前記第２の位置に配置された場合に、前記上流側端部流路及び前記下流側端部流路の間を連絡する一方、
前記可動部材が前記第１の位置に配置された場合に、前記上流側端部流路及び前記下流側端部流路の少なくとも一方から切り離されて、それら上流側端部流路及び下流側端部流路の間を断絶するバイパス流路を備えたことを特徴とする請求項１乃至８の何れかに記載の水道メータシステム。
【請求項１０】
前記可動部材は、前記中間金具に備えた円柱部の外側に嵌合された内面円筒嵌合部を有して、その円柱部の周りを回動することで前記第１の位置と第２の位置との間を移動し、
前記１対の水道管接続部は、前記円柱部のうち前記内面円筒嵌合部から露出した端部に設けられ、
前記上流側端部流路及び下流側端部流路は、前記円柱部の内部を通過して前記円柱部の外周面に開口する一方、前記上流側中継流路及び前記下流側中継流路は、前記可動部材の内部を通過して前記内面円筒嵌合部の内周面に開口し、
前記可動部材が前記第１の位置に配置された場合には、前記内面円筒嵌合部の内周面と前記円柱部の外周面との間で、前記上流側端部流路及び下流側端部流路の各開口と、前記上流側中継流路及び前記下流側中継流路の各開口とがそれぞれ対向する一方、前記可動部材が前記第２の位置に配置された場合には、前記上流側端部流路及び下流側端部流路の各開口と、前記上流側中継流路及び前記下流側中継流路の各開口とが互いにずれるように構成したことを特徴とする請求項２に記載の水道メータシステム。
【請求項１１】
前記可動部材は、円柱体の長手方向における中間部分を外面から中心軸の近傍まで切除してユニット取付凹部を備えた構造をなし、
前記可動部材のうち前記中心軸からずれた位置を軸方向に計測流路が貫通し、
前記ユニット取付凹部には、前記計測流路に連通した計測孔が形成され、
前記水道メータは、前記ユニット取付凹部に着脱可能に取り付けられると共に前記計測孔を介して前記計測流路に突入し水道水の通過体積を計測するための計測突部を有し、
前記可動部材の両端部に回動可能に嵌合された一端有底の１対の端部筒体を連絡部材で互いに固定してなるベース部を中間金具に設けると共に、前記各端部筒体の奥面に前記可動部材の各端面を摺接させて前記可動部材が前記ベース部に対して第１の位置と第２の位置との間で回動するように構成し、
前記上流側端部流路は、一方の前記端部筒体に形成されてその一端が前記一方の端部筒体の奥面に開口する一方、前記下流側端部流路は、他方の前記端部筒体に形成されてその一端が前記他方の端部筒体の奥面に開口し、
前記可動部材が前記第１の位置に配置された場合には、前記計測流路の両端の開口が前記上流側端部流路及び前記下流側端部流路の各開口にそれぞれ対向する一方、前記可動部材が前記第２の位置に配置された場合には、前記計測流路の両端の開口が前記上流側端部流路及び前記下流側端部流路の各開口からずれるように構成したことを特徴とする請求項１に記載の水道メータシステム。
【請求項１２】
前記中間金具には、両端が開放しその一端が収容口をなし、他端が開閉口となった筒壁と、前記筒壁の前記開閉口の周りを包囲した包囲壁とが備えられ、
前記上流側端部流路の終端口が、前記包囲壁内に開放する一方、前記下流側端部流路の始端口が、前記筒壁のうち前記収容口寄りの側部に開放し、
前記可動部材は、前記筒壁の内部に嵌合されかつ前記第１の位置と第２の位置との間を直動する両端開放の直動部材で構成され、
前記水道メータは、前記直動部材のうち前記筒壁の収容口側の一端開口から前記直動部材内に収容されて、前記筒壁の収容口を閉塞すると共に前記筒壁に固定され、
前記直動部材の一端開口寄りの側部には前記下流側端部流路の始端口に対応した連通孔が貫通形成され、前記直動部材の他端開口から前記包囲壁側に向けて連絡部材が延設され、その連絡部材の先端には前記筒壁の開閉口を閉塞可能な前記閉塞盤が設けられ、
前記水道メータが前記筒壁に固定されると前記直動部材が前記第１の位置に配置され、前記閉塞盤が前記筒壁の開閉口から離されてその開閉口が開放されると共に、前記連通孔が前記下流側端部流路の始端口に連通し、
前記水道メータが前記筒壁から離脱しかつ前記直動部材から抜かれる動作に伴って前記直動部材が前記第１の位置から前記第２の位置に移動して、前記閉塞盤が前記筒壁の開閉口を塞ぐと共に、前記連通孔が前記下流側端部流路の始端口からずれるように構成したことを特徴とする請求項１に記載の水道メータシステム。
【発明の詳細な説明】
【技術分野】
【０００１】
本発明は、水道メータを中間金具に組み付けてなる水道メータシステムであって、中間金具には、水道管に接続される１対の水道管接続部と、上流側の水道管接続部に連通した上流側端部流路と、下流側の水道管接続部に連通した下流側端部流路とが形成され、水道水が上流側端部流路から水道メータを通過して下流側端部流路に流れるようにした水道メータシステムに関する。
【背景技術】
【０００２】
従来より、この種の水道メータシステムは、水道メータの上流形と下流側とにそれぞれ止水部（具体的には、１対の回動操作弁）を備えた構造になっていた。そして、水道メータを取り外す際に、それら両方の止水部を閉じることで、水道メータが外された状態の中間金具から水道水が流出することを防止していた（例えば、特許文献１参照）。
【特許文献１】特開２０００−３２９６０１号公報（段落［００１１］〜［００１５］第１図、第２図）
【発明の開示】
【発明が解決しようとする課題】
【０００３】
ところが、上述した従来の水道メータシステムでは、水道メータを着脱する際に、２つの止水部を別々に操作する必要があるため、効率よく水道メータの着脱作業を行うことができなかった。
【０００４】
本発明は、上記事情に鑑みてなされたもので、従来より効率よく水道メータの着脱作業を行うことが可能な水道メータシステムの提供を目的とする。
【課題を解決するための手段】
【０００５】
上記目的を達成するためになされた請求項１の発明に係る水道メータシステムは、水道メータを中間金具に着脱可能に組み付けてなる水道メータシステムであって、中間金具には、水道管に接続される１対の水道管接続部と、上流側の水道管接続部に連通した上流側端部流路と、下流側の水道管接続部に連通した下流側端部流路とが形成され、水道水が上流側端部流路から水道メータを通過して下流側端部流路に流れるようにした水道メータシステムにおいて、中間金具に設けられて、第１の位置と第２の位置との間で移動操作可能な可動部材を設け、可動部材が第１の位置に配置された場合には、上流側端部流路と水道メータとの間及び下流側端部流路と水道メータとの間が共に連通する一方、可動部材が第２の位置に配置された場合には、上流側端部流路と水道メータとの間及び下流側端部流路と水道メータとが共に断絶するように構成したところに特徴を有する。
ここで、「中間金具」とは、水道管に水道メータを間接的に取り付けるための構造物であって、水道メータの業界では慣習上「中間金具」（「ＪＩＳ  Ｂ８５７０−１：２００５」を参照）と呼ばれているが、その材質は金属に限るものではなく、例えば、合成樹脂等の他の材質でもよい。
【０００６】
請求項２の発明は、請求項１に記載の水道メータシステムにおいて、可動部材に、上流側端部流路と下流側端部流路とに対応した上流側中継流路と下流側中継流路とを形成し、可動部材が第１の位置に配置された場合には、上流側端部流路と上流側中継流路との間及び下流側端部流路と下流側中継流路との間が共に連通して、水道水が上流側端部流路から水道メータを通過して下流側端部流路に流れる一方、可動部材が第２の位置に配置された場合には、上流側端部流路と上流側中継流路との間及び下流側端部流路と下流側中継流路とが共に断絶するように構成したところに特徴を有する。
【０００７】
請求項３の発明は、請求項２に記載の水道メータシステムにおいて、可動部材は、円筒状をなしかつ内部に水道メータを受容すると共に、上流側中継流路及び下流側中継流路は、可動部材の周方向に離して配置され、中間金具には、可動部材が嵌合可能なメータ受容部が形成されると共に、上流側端部流路及び下流側端部流路の各開口は、メータ受容部の周方向に離して配置され、可動部材は、メータ受容部に対して回動操作されて、第１の位置と第２の位置との間を移動するように構成されたところに特徴を有する。
【０００８】
請求項４の発明は、請求項３に記載の水道メータシステムにおいて、水道メータは、可動部材の内部に嵌合される円柱形状をなしかつその径方向に貫通した計測流路を有し、計測流路を流れる水道水の通過体積を、超音波、電磁誘導又は羽根車を利用して計量するように構成され、可動部材が第１の位置に配置された場合に、上流側端部流路及び下流側端部流路の各開口と、上流側中継流路及び下流側中継流路と、計測流路とが同軸線上に配置されるように構成したところに特徴を有する。
【０００９】
請求項５の発明は、請求項３又は４に記載の水道メータシステムにおいて、可動部材の一端部を前記水道メータシステムの外側に露出し、その露出部分に可動部材を操作するための操作部を備えたところに特徴を有する。
【００１０】
請求項６の発明は、請求項３又は４に記載の水道メータシステムにおいて、可動部材のうち水道メータが挿入される側の端部開口と反対側の端部壁を中間金具から露出し、その露出部分に可動部材を操作するための操作レバーを設けたところに特徴を有する。
【００１１】
請求項７の発明は、請求項３又は４に記載の水道メータシステムにおいて、可動部材と水道メータとの間には、可動部材の内部への水道メータの挿抜を許容する一方、可動部材と水道メータとが一体回転するように係合する凸部及び凹部を備えたところに特徴を有する。
【００１２】
請求項８の発明は、請求項７に記載の水道メータシステムにおいて、凸部は、可動部材と水道メータとの一方の周面から側方に突出形成され、凹部は、可動部材と水道メータとの他方の周面に形成され、可動部材と水道メータとの嵌合方向に延びた溝状をなしたところに特徴を有する。
【００１３】
請求項９の発明は、請求項１乃至８の何れかに記載の水道メータシステムにおいて、可動部材に形成されて、可動部材が第２の位置に配置された場合に、上流側端部流路及び下流側端部流路の間を連絡する一方、可動部材が第１の位置に配置された場合に、上流側端部流路及び下流側端部流路の少なくとも一方から切り離されて、それら上流側端部流路及び下流側端部流路の間を断絶するバイパス流路を備えたところに特徴を有する。
【００１４】
請求項１０の発明は、請求項２に記載の水道メータシステムにおいて、可動部材は、中間金具に備えた円柱部の外側に嵌合された内面円筒嵌合部を有して、その円柱部の周りを回動することで第１の位置と第２の位置との間を移動し、１対の水道管接続部は、円柱部のうち内面円筒嵌合部から露出した端部に設けられ、上流側端部流路及び下流側端部流路は、円柱部の内部を通過して円柱部の外周面に開口する一方、上流側中継流路及び下流側中継流路は、可動部材の内部を通過して内面円筒嵌合部の内周面に開口し、可動部材が第１の位置に配置された場合には、内面円筒嵌合部の内周面と円柱部の外周面との間で、上流側端部流路及び下流側端部流路の各開口と、上流側中継流路及び下流側中継流路の各開口とがそれぞれ対向する一方、可動部材が第２の位置に配置された場合には、上流側端部流路及び下流側端部流路の各開口と、上流側中継流路及び下流側中継流路の各開口とが互いにずれるように構成したところに特徴を有する。
【００１５】
請求項１１の発明は、請求項１に記載の水道メータシステムにおいて、可動部材は、円柱体の長手方向における中間部分を外面から中心軸の近傍まで切除してユニット取付凹部を備えた構造をなし、可動部材のうち中心軸からずれた位置を軸方向に計測流路が貫通し、ユニット取付凹部には、計測流路に連通した計測孔が形成され、水道メータは、ユニット取付凹部に着脱可能に取り付けられると共に計測孔を介して計測流路に突入し水道水の通過体積を計測するための計測突部を有し、可動部材の両端部に回動可能に嵌合された一端有底の１対の端部筒体を連結部材で互いに固定してなるベース部を中間金具に設けると共に、各端部筒体の奥面に可動部材の各端面を摺接させて可動部材が前記ベース部に対して第１の位置と第２の位置との間で回動するように構成し、上流側端部流路は、一方の端部筒体に形成されてその一端が一方の端部筒体の奥面に開口する一方、下流側端部流路は、他方の端部筒体に形成されてその一端が他方の端部筒体の奥面に開口し、可動部材が第１の位置に配置された場合には、計測流路の両端の開口が上流側端部流路及び下流側端部流路の各開口にそれぞれ対向する一方、可動部材が第２の位置に配置された場合には、計測流路の両端の開口が上流側端部流路及び下流側端部流路の各開口からずれるように構成したところに特徴を有する。
【００１６】
請求項１２の発明は、請求項１に記載の水道メータシステムにおいて、中間金具には、両端が開放しその一端が収容口をなし、他端が開閉口となった筒壁と、筒壁の開閉口の周りを包囲した包囲壁とが備えられ、上流側端部流路の終端口が、包囲壁内に開放する一方、下流側端部流路の始端口が、筒壁のうち収容口寄りの側部に開放し、可動部材は、筒壁の内部に嵌合されかつ第１の位置と第２の位置との間を直動する両端開放の直動部材で構成され、水道メータは、直動部材のうち筒壁の収容口側の一端開口から直動部材内に収容されて、筒壁の収容口を閉塞すると共に筒壁に固定され、直動部材の一端開口寄りの側部には下流側端部流路の始端口に対応した連通孔が貫通形成され、直動部材の他端開口から包囲壁側に向けて連絡部材が延設され、その連絡部材の先端には筒壁の開閉口を閉塞可能な閉塞盤が設けられ、水道メータが筒壁に固定されると直動部材が第１の位置に配置され、閉塞盤が筒壁の開閉口から離されてその開閉口が開放されると共に、連通孔が下流側端部流路の始端口に連通し、水道メータが筒壁から離脱しかつ直動部材から抜かれる動作に伴って直動部材が第１の位置から第２の位置に移動して、閉塞盤が筒壁の開閉口を塞ぐと共に、連通孔が下流側端部流路の始端口からずれるように構成したところに特徴を有する。
【発明の効果】
【００１７】
［請求項１の発明］
請求項１の水道メータシステムで水道水の通過体積を計測する場合には、可動部材を第１の位置に配置する。すると、上流側端部流路と水道メータとの間及び下流側端部流路と水道メータとの間が共に連通して、水道水が上流側端部流路から水道メータを通過して下流側端部流路に流れる。これにより、上流側端部流路と下流側端部流路との間を流れる水道水の通過体積が水道メータによって計量される。一方、水道メータを取り外す場合には、可動部材を第１の位置から第２の位置に移動する。すると、上流側端部流路と水道メータとの間及び下流側端部流路と水道メータとが共に断絶し、水道メータには水道水が流れなくなる。これにより、水道メータを取り外した後の中間金具からの水道水の放水が防がれる。このように本発明によれば、可動部材を第１と第２の位置の間で移動する一操作で、水道メータと上流側及び下流側の端部流路の両方を一度に開閉することができ、従来より効率よく水道メータの着脱作業を行うことが可能になる。
【００１８】
［請求項２の発明］
請求項２の水道メータシステムで、可動部材を第１の位置に配置すると、水道水は、上流側端部流路、上流側中継流路を通って水道メータ内に流入し、水道メータから下流側中継流路、下流側端部流路を通って水道メータシステムの下流側に流出する。これにより、上流側端部流路と下流側端部流路との間を流れる水道水の通過体積が水道メータによって計量される。一方、水道メータを取り外す場合には、可動部材をメータ受容部の内側で第１の位置から第２の位置に移動する。すると、上流側端部流路と上流側中継流路との間及び下流側端部流路と下流側中継流路とが共に断絶され、計測ユニット側に水道水が流入しなくなる。これにより、水道メータを取り外した後の中間金具からの水道水の放水が防がれる。このように本発明によれば、可動部材を第１と第２の位置の間で移動する一操作で、水道メータと上流側及び下流側の端部流路の両方を一度に開閉することができ、従来より効率よく水道メータの着脱作業を行うことが可能になる。
【００１９】
［請求項３の発明］
請求項３の水道メータシステムによれば、可動部材をメータ受容部に対して回動操作することで、可動部材が第１の位置と第２の位置との間で移動する。
【００２０】
［請求項４の発明］
請求項４の水道メータシステムでは、可動部材が第１の位置から第２の位置に向けて回動すると、上流側中継流路及び下流側中継流路が、メータ受容部に形成された上流側端部流路及び下流側端部流路の各開口に対して徐々にずらされ、第２の位置に至ると上流側端部流路及び下流側端部流路の各開口が可動部材の外面により塞がれる。また、可動筒体が第１の位置に配置されたときに水道水をスムーズに流すことができる。
【００２１】
［請求項５の発明］
請求項５の水道メータシステムでは、水道メータシステムの外側から可動部材を第１の位置と第２の位置との間で移動操作することができる。
【００２２】
［請求項６の発明］
請求項６の水道メータシステムでは、中間金具から露出した操作レバーを操作することで、可動部材を第１の位置と第２の位置との間で移動することができる。
【００２３】
［請求項７及び８の発明］
請求項７の水道メータシステムでは、水道メータを可動部材の内部へ挿抜可能としつつ、水道メータの回転操作により可動部材を第１の位置と第２の位置との間で移動させることができる。具体的には、凸部は、可動部材と水道メータとの一方の周面から側方に突出形成され、凹部は、可動部材と水道メータとの他方の周面に形成され、可動部材と水道メータとの嵌合方向に延びた溝状とすればよい（請求項８の発明）。
【００２４】
［請求項９の発明］
請求項９の水道メータシステムでは、可動部材を第２の位置にして上流側端部流路と上流側中継流路との間が断絶された場合に、バイパス流路によって上流側端部流路及び下流側端部流路の間が連絡されるので、断水させることなく水道メータを着脱することができる。しかも、バイパス流路は可動部材に形成されたので、上流側端部流路と下流側端部流路との間を配管部材で連絡した構成に比較して、部材数の削減が図られ、水道メータシステムの寸法を小さくすることができる。
【００２５】
［請求項１０の発明］
請求項１０の水道メータシステムでは、可動部材を中間金具に備えた円柱部の周りに回動することで第１の位置と第２の位置とに移動することができる。そして、可動部材が第１の位置に配置されると、内面円筒嵌合部の内周面と円柱部の外周面との間で、上流側端部流路及び下流側端部流路の各開口と、上流側中継流路及び下流側中継流路の各開口とがそれぞれ対向し、上流側端部流路、上流側中継流路、計測ユニット、下流側中継流路、下流側端部流路の順に水道水が流れて、計測ユニットにて水道水を計量することが可能になる。一方、可動部材が第２の位置に配置されると、上流側端部流路及び下流側端部流路の各開口と、上流側中継流路及び下流側中継流路の各開口とが互いにずれる。これにより、水道メータには水道水が流れなくなり、水道メータを取り外した後の中間金具からの水道水の放水が防がれる。
【００２６】
［請求項１１の発明］
請求項１１の水道メータシステムでは、可動部材を端部筒体に対して回動することで第１の位置と第２の位置とに移動する。このとき、各端部筒体の奥面と可動部材の両端面とが摺接し、可動部材が第１の位置に配置されると、可動部材の両端面における計測流路の各開口が各端部筒体の奥面における上流側端部流路及び下流側端部流路の各開口にそれぞれ対向し、上流側端部流路、計測流路、下流側端部流路の順に水道水が流れる。そして、計測流路内に突入した計測突部によって、計測流路内を流れる水道水の通過体積が計測される。一方、可動部材が第２の位置に配置された場合には、計測流路の両端の開口が上流側端部流路及び下流側端部流路の各開口からずれ、これにより、水道メータには水道水が流れなくなり、水道メータを取り外した後の中間金具からの水道水の放水が防がれる。
【００２７】
［請求項１２の発明］
請求項１２の水道メータシステムでは、水道メータを可動部材を構成する直動部材に挿入して、その水道メータを筒壁に固定すると直動部材が第１の位置に配置され、閉塞盤が筒壁の開閉口から離されてその開閉口が開放されると共に、連通孔が下流側端部流路の始端口に連通する。すると、筒壁の開閉口を通して、上流側端部流路から筒壁の内部の直動部材内に水道水が流れ込み、連通孔を通して、直動部材から下流側端部流路に水道水が流れ出る。そして、直動部材内に収容された水道メータによって水道水の通過体積を計測することができる。また、水道メータが筒壁から離脱しかつ直動部材から抜かれと、その動作に伴って直動部材が第１の位置から第２の位置に移動し、閉塞盤が筒壁の開閉口を塞ぐと共に、連通孔が下流側端部流路の始端口からずれる。これにより、直動部材の内部に水道水が流れなくなり、水道メータを取り外した後の中間金具からの水道水の放水が防がれる。
【発明を実施するための最良の形態】
【００２８】
［第１実施形態］
以下、本発明の第１実施形態を図１〜図５に基づいて説明する。図１には、本発明の水道メータシステム１００の全体構造が示されている。水道メータシステム１００のうち中間金具１０Ａは、下端有底の円筒構造をなしたメータ受容部１１Ａの外周面から相反する方向に１対の水道管接続部１１Ｊ，１１Ｋを延設した構造をなし、これら水道管接続部１１Ｊ，１１Ｋが、図示しない水道管に接続される。そして、図１における左側の水道管接続部１１Ｊの内部空間が上流側端部流路１２をなす一方、反対側の水道管接続部１１Ｋの内部空間が下流側端部流路１３をなしている。
【００２９】
メータ受容部１１Ａは円筒内面を備え、その円筒内面のうち、周方向で互いに１８０度離れた位置に上流側端部流路１２及び下流側端部流路１３の各開口１２Ａ，１３Ａが配置されている。メータ受容部１１Ａの上端には開放口１４が形成され、この開放口１４から水道メータ２０Ａを収容した可動部材３０Ａが挿入されている。そして可動部材３０Ａはメータ受容部１１Ａに対して通水位置（本発明の「第１の位置」に相当する）と止水位置（本発明の「第２の位置」に相当する）との間で回動可能に嵌合されている。
【００３０】
水道メータ２０Ａは円柱構造をなし、下端部寄り部分に計測流路２１を備える。計測流路２１は水道メータ２０Ａを径方向に貫通しており、この計測流路２１を流れる水道水の通過体積が、所謂、超音波、電磁誘導又は羽根車（図示せず）を利用して計量される。水道メータ２０Ａの下端部中央には、水道メータ２０Ａと後述する可動部材３０Ａとを一体回動可能に連結する断面非円形の連結凸部２２が形成されている。
【００３１】
水道メータ２０Ａの上部には、外周面の全周に亘ってＯリング溝が形成され、ここに装着されたＯリング２３Ａが可動部材３０Ａの内面に密着している。また、水道メータ２０Ａの上端部には表示部Ｍが一体に設けられて中間金具１０Ａから露出しており、図示しないがその周縁部がメータ受容部１１Ａの上端部に係止されている。そして水道メータ２０Ａで計測された水道水の通過体積がこの表示部Ｍにて表示される。なお、水道メータ２０Ａと中間金具１０Ａとの間は、常には図示しない取り外し防止部材によって連結されており、正規の作業者ではない者によって不正に水道メータ２０Ａが取り外されることが防止されている。 
【００３２】
さて、可動部材３０Ａは、以下のようである。可動部材３０Ａは下端有底の円筒形状をなして水道メータ２０Ａのほぼ全体を収容し、その周方向で互いに１８０度離れた位置に、可動部材３０Ａの円筒壁部を貫通した上流側中継流路３１Ａ及び下流側中継流路３１Ｂが形成されている。
【００３３】
図２に示すように、可動部材３０Ａの外周面には両中継流路３１Ａ，３１Ｂの各開口を囲むようにＯリング溝が形成され、ここにＯリング３３Ｂ，３３Ｂが装着されている。また、両中継流路３１Ａ，３１Ｂが設けられた部分よりも上側部分と下側部分とには、可動部材３０Ａの外周面の全周に亘ってＯリング溝が形成され、ここにＯリング３３Ａ，３３Ａが装着されている。これらＯリング３３Ａ，３３Ｂはメータ受容部１１Ａの内面に押し潰されて密着している。
【００３４】
可動部材３０Ａの内面底部には、連結凹部３５が陥没形成され、ここに水道メータ２０Ａの連結凸部２２が凹凸嵌合している。ここで、連結凹部３５と連結凸部２２とが凹凸嵌合すると、水道メータ２０Ａの計測流路２１と可動部材３０Ａの上流側中継流路３１Ａ及び下流側中継流路３１Ｂとが同軸線上に位置決めされる。
【００３５】
図１に示すように、可動部材３０Ａの下面は、中央部から周縁部に向かうに従って、メータ受容部１１Ａの底面から離れるように緩やかに傾斜している。即ち、可動部材３０Ａの下面中央部がメータ受容部１１Ａの底面に接触し、その外側部分がメータ受容部１１Ａの底面から浮いている。これにより、可動部材３０Ａの下面全体がメータ受容部１１Ａの底面に接触したものに比べて、可動部材３０Ａをメータ受容部１１Ａに対して回動させる際に可動部材３０Ａの下面にかかる摩擦が軽減され、可動部材３０Ａを回動させ易くなっている。
【００３６】
なお、可動部材３０Ａは、通常使用時にはメータ受容部１１Ａの上端部に螺合された連結ナット８０により、メータ受容部１１Ａに対して抜け止めされている。
【００３７】
本実施形態の水道メータシステム１００に関する構成は以上であり、以下動作について説明する。水道水の通過体積を計量する場合には、可動部材３０Ａを通水位置に配置する。具体的には、例えば水道メータ１０Ａの表示部Ｍに付された目印をメータ受容部１１Ａに付された通水位置用の目印に一致させる。すると、図３に示すように、中間金具１０Ａの上流側端部流路１２及び下流側端部流路１３と、可動部材３０Ａの上流側中継流路３１Ａ及び下流側中継流路３１Ｂと、水道メータ２０Ａの計測流路２１とが同軸線上に配置される。即ち、水道水が上流側端部流路１２から計測流路２１を通過して下流側端部流路１３に向かって流れて、計測流路２１を通過する際に水道水の通過体積が計量される。
【００３８】
さて、水道メータ２０Ａを検査或いは交換する場合には以下の手順により、水道メータ２０Ａを中間金具１０Ａから取り外す。まず、表示部Ｍを把持して、水道メータ２０Ａをメータ受容部１１Ａに対して回動操作する。具体的には、例えば、表示部Ｍの目印をメータ受容部１１Ａに付された止水位置用の目印に近づける。すると、可動筒体３０Ａが水道メータ２０Ａと一体に回動し、可動筒体３０Ａの上流側中継流路３１Ａ及び下流側中継流路３１Ｂが中間金具１０Ａの上流側端部流路１２及び下流側端部流路１３に対して徐々にずらされる。そして、可動筒体３０Ａが止水位置に至ると、図４に示すように、上流側端部流路１２及び下流側端部流路１３の各開口１２Ａ，１３Ａが可動筒体３０Ａの外面で塞がれて、上流側端部流路１２と上流側中継流路３１Ａとの間、及び、下流側中継流路３１Ｂと下流側端部流路１３との間が断絶する。この状態で表示部Ｍの周縁部とメータ受容部１１Ａとの係止を解除し、表示部Ｍを把持して上方に引き上げる。すると、図５に示すように、可動筒体３０Ａの上端開口３２から水道メータ２０Ａが抜き取られる。このとき、水道水は上流側端部流路１２及び下流側端部流路１３の内部で堰き止められて可動筒体３０Ａの内側に流れ込むことはない。
【００３９】
検査の済んだ水道メータ２０Ａ或いは新規な水道メータ２０Ａは、可動筒体３０Ａの上端開口３２から挿入して、水道メータ２０Ａの連結凸部２２と可動筒体３０Ａの連結凹部３５とを凹凸嵌合させる。そして、表示部Ｍを把持して水道メータ２０Ａを回動操作すれば、可動筒体３０Ａが一体に回動する。そして、可動筒体３０Ａを通水位置に戻せば、水道メータ２０Ａの計量流路２１に再び通水されて、水道水の通過体積が計量可能となる。
【００４０】
このように、本実施形態によれば、可動部材３０Ａを第１と第２の位置の間で移動する一操作で、水道メータ２０Ａの上流側と下流側の端部流路１２，１３の両方を一度に開閉することができ、従来より効率よく水道メータ２０Ａの着脱作業を行うことが可能になる。
【００４１】
また、可動部材３０Ａを止水位置に配置すると可動部材３０Ａが止水部として機能して、水道メータ２０Ａよりも上流側と下流側との両方から水道水が可動部材３０Ａの内側に流れ込まなくなるので、水道メータ２０Ａを取り外した後の中間金具１０Ａからの水道水の放水が防がれる。
【００４２】
しかも、止水部として機能する可動部材３０Ａは、メータ受容部１１Ａの内側に配置されているので、止水部とメータ受容部とを水道管との接続方向に横並びに配置した従来の水道メータシステムに比較して全長を短くすることができる。従って、従来の止水部を備えた水道メータシステムに比べて設置スペースを省スペース化できる。
【００４３】
［第２実施形態］
本発明の第２実施形態を図６〜図１０に基づいて説明する。なお、第１実施形態と同じ構成については同一符号を付す。図６には、本実施形態に係る水道メータシステム２００の全体構造が示されている。水道メータシステム２００のうち中間金具１０Ｂは、下端有底の円筒構造をなしたメータ受容部１１Ｂの外周面から相反する方向に１対の水道管接続部１１Ｊ，１１Ｋを延設した構造をなし、これら水道管接続部１１Ｊ，１１Ｋが、図示しない水道管に接続される。そして、図６における左側の水道管接続部１１Ｊの内部空間が上流側端部流路１２をなす一方、反対側の水道管接続部１１Ｋの内部空間が下流側端部流路１３をなしている。
【００４４】
メータ受容部１１Ｂは上端から下端に向かうに従って緩やかに縮径した円筒内面を備え、その円筒内面のうち、周方向で互いに１８０度離れた位置に上流側端部流路１２及び下流側端部流路１３の各開口１２Ａ，１３Ａが配置されている。メータ受容部１１Ｂの上端には開放口１４が形成され、この開放口１４から水道メータ２０Ｂを収容した可動部材３０Ｂが挿入されている。そして可動部材３０Ｂはメータ受容部１１Ｂに対して通水位置と止水位置との間で回動可能に嵌合されている。なお、メータ受容部１１Ｂの上端内周面に嵌合されたＣリング１５が可動部材３０Ｂを抜け止めしている。
【００４５】
水道メータ２０Ｂは、上端から下端に向かうに従って緩やかに縮径した円柱構造をなし、上端寄り部分に計測流路２１を備える。計測流路２１は水道メータ２０Ｂを径方向に貫通しており、この計測流路２１を流れる水道水の通過体積が、所謂、超音波、電磁誘導又は羽根車を利用して計量される。
【００４６】
図６に示すように、水道メータ２０Ｂの上端部には外周面の全周に亘ってＯリング溝が形成され、ここに装着されたＯリング２３Ａが可動部材３０Ｂの内周面に密着している。また、図１０に示すように、水道メータ２０Ｂの外周面のうち、周方向で互いに１８０度離れた位置には、水道メータ２０Ｂと後述する可動部材３０Ｂとを一体回動可能に連結した１対の連結凸部２４，２４が設けられている。
【００４７】
さらに、水道メータ２０Ｂの上端には水道水の計量結果を表示するための表示部Ｍが一体に設けられて中間金具１０Ｂから露出している。表示部Ｍは、所謂、バヨネット式の係止構造を備え、周縁部に形成された複数の係止爪によりメータ受容部１１Ｂの上端縁に係止されている。
【００４８】
さて、可動部材３０Ｂは以下のようである。可動部材３０Ｂは下端有底の円筒構造をなし、メータ受容部１１Ｂ及び水道メータ２０Ｂの形状に対応して上端から下端に向かって緩やか縮径している。可動部材３０Ｂのうち、その周方向で互いに１８０度離れた位置には、可動部材３０Ｂの円筒壁部を貫通した上流側中継流路３１Ａ及び下流側中継流路３１Ｂが形成されている。
【００４９】
図６に示すように、可動部材３０Ｂの上端には外周面の全周に亘ってＯリング溝が形成され、ここに装着されたＯリング３３Ａがメータ受容部１１Ｂの内面に密着している。また、図１０に示すように、可動部材３０Ｂの内面の周方向で互いに１８０度離れた位置には、１対の連結溝３４，３４が形成され、ここに水道メータ２０Ｂの連結凸部２４，２４が凹凸嵌合している。連結溝３４は可動部材３０Ｂの軸方向（図１０における上下方向）に延びて、上端開口３２側に開放している。連結凸部２４，２４と連結溝３４，３４とが凹凸嵌合すると、水道メータ２０Ｂの計測流路２１と可動部材３０Ｂの上流側中継流路３１Ａ及び下流側中継流路３１Ｂとが同軸線上に位置決めされる（図６及び図８の状態）。また、これら連結凸部２４，２４と連結溝３４，３４とにより、水道メータ２０Ｂと可動部材３０Ｂとが一体回動可能されかつ、水道メータ２０Ｂが可動部材３０Ｂに対して挿抜可能とされている。
【００５０】
可動部材３０Ｂの下面中央には、メータ受容部１１Ｂの底面に向かって突出したボス３６が形成されている。即ち、可動部材３０Ｂの下面のうち、ボス３６のみがメータ受容部１１Ｂの底面に接触し、その他の部分がメータ受容部１１Ｂの底面から浮いている。これにより、可動部材３０Ｂの下面全体がメータ受容部１１Ｂの底面に接触したものに比べて、可動部材３０Ｂをメータ受容部１１Ｂに対して回動させる際に可動部材３０Ｂの下面にかかる摩擦が軽減され、可動部材３０Ｂを回動させ易くなっている。
【００５１】
ところで、可動部材３０Ｂの外周面にはバイパス流路３７が形成されている。バイパス流路３７は、可動部材３０Ｂの外周面を半周に亘って陥没させた溝構造をなしている。詳細には、可動部材３０Ｂのうち、上流側中継流路３１Ａから周方向における一方向（図８における時計回り方向）に約４５度離れた位置にはバイパス入口部３７Ａが形成され、下流側中継流路３１Ｂから周方向における一方向に約４５度離れた位置にはバイパス出口部３７Ｂが形成されている。そして、バイパス流路３７は、バイパス入口部３７Ａから斜め下方に延び、可動部材３０Ｂの下端寄り部分を周方向に延びて下流側中継流路３１Ｂの下方を通り（図６を参照）、ここから斜め上方に延びてバイパス出口部３７Ｂに繋がっている（図７を参照）。なお、バイパス流路３７は、可動部材３０Ｂの外周面を全周に亘って陥没させた溝構造をなしていてもよい。
【００５２】
本実施形態の水道メータシステム２００に関する構成は以上であり、以下動作について説明する。水道水の通過体積を計量する場合には、可動部材３０Ｂを通水位置に配置する。具体的には、例えば、水道メータ２０Ｂの表示部Ｍに付された目印をメータ受容部１１Ｂに付された通水位置用の目印に一致させる。すると、図６及び図８に示すように、中間金具１０Ｂの上流側端部流路１２及び下流側端部流路１３と、可動部材３０Ｂの上流側中継流路３１Ａ及び下流側中継流路３１Ｂと、水道メータ２０Ｂの計測流路２１とが同軸線状に配置される。即ち、水道水が上流側端部流路１２から計測流路２１を通過して下流側端部流路１３に向かって流れて、計測流路２１を通過する際に水道水の通過体積が計量される。
【００５３】
さて、水道メータ２０Ｂを検査或いは交換する場合には以下の手順により、水道メータ２０Ｂを中間金具１０Ｂから取り外す。具体的には、まず、可動筒体３０Ｂを通水位置から止水位置に向けて（図８における反時計回り方向）に回動操作する。具体的には、例えば、表示部Ｍを把持して、その表示部Ｍに付された目印をメータ受容部１１Ｂに付された止水位置用の目印に近づけるように回動操作する。すると、水道メータ２０Ｂと共に可動部材３０Ｂが一体回動し、可動部材３０Ｂの上流側中継流路３１Ａ及び下流側中継流路３１Ｂが中間金具１０Ｂの上流側端部流路１２及び下流側端部流路１３に対して徐々にずらされる。そして、可動部材３０Ｂが図８における反時計回り方向に約４５度回動されて止水位置に至ると、図９の（Ａ）に示すように、上流側中継流路３１Ａ及び下流側中継流路３１Ｂがメータ受容部１１Ｂの内面で塞がれ、代わりに、上流側端部流路１２の開口１２Ａとバイパス入口部３７Ａ、及び、下流側端部流路１３の開口１３Ａとバイパス出口部３７Ｂとがそれぞれ整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３７により連絡される。このとき、表示部Ｍに備えたバヨネットとメータ受容部１１Ｂの上端縁との係止が解除されるので表示部Ｍを把持して水道メータ２０Ｂを上方に引き上げ、可動部材３０Ｂの上端開口３２から抜き取る。
【００５４】
このとき、水道水は、可動部材３０Ｂの内側に流れ込むことはなく、バイパス流路３７を通って上流側端部流路１２から下流側端部流路１３に向けて流される（図９の（Ｂ）を参照）。
【００５５】
検査の済んだ水道メータ２０Ｂ或いは新規な水道メータ２０Ｂは、可動部材３０Ｂの上端開口３２から挿入して、水道メータ２０Ｂの連結凸部２４，２４と可動部材３０Ｂの連結溝３４，３４とを凹凸嵌合させＣリング１５で固定する。そして、水道メータ２０Ｂを回動操作（図９の（Ａ）における時計回り方向へ約４５度回動操作）することで回動操作可動部材３０Ｂを止水位置から通水位置に戻せば、上流側端部流路１２と上流側中継流路３１Ａとの間、及び、下流側中継流路３１Ｂと下流側端部流路１３との間が連通して計測流路２１に水道水が流され、再び水道水の通過体積が計量可能となる。
【００５６】
このように、本実施形態の水道メータシステム２００によれば、上記第１実施形態と同等の効果を奏することができる。また、断水させることなく水道メータ２０Ｂの着脱操作を行うことができる。
【００５７】
なお、本実施形態の水道メータシステム２００では、水道メータ２０Ｂの着脱時に断水状態にすることも可能である。具体的には、可動部材３０Ｂを止水位置とは反対方向（図８における時計回り方向）に約４５度回動すれば、上流側端部流路１２及び下流側端部流路１３の各開口１２Ａ，１３Ａが可動部材３０Ｂの外面で塞がれて、上流側端部流路１２と下流側端部流路１３との間が断絶する。すると、水道水は上流側端部流路１２及び下流側端部流路１３の内部でそれぞれ堰き止められて可動部材３０Ｂの内側及びバイパス流路３７に流れ込まなくなる。また、常には、水道メータ２０Ｂと中間金具１０Ｂとの間を図示しない回動禁止部材によって連結して、水道メータ２０Ｂの中間金具１０Ｂに対する回動操作を禁止しておけば、正規の作業者ではない者が水道メータ２０Ｂを回動操作して、水道水が水道メータ２０Ｂを経由せずにバイパス流路３７を経由して不正に供給されることを防止できる。 
【００５８】
［第３実施形態］
本発明の第３実施形態を図１１〜図１５に基づいて説明する。この第３実施形態は、主に、可動部材の構成を前記第２実施形態と異ならせたものである。以下、前記第２実施形態と同じ構成については、同一符号を付す。
【００５９】
図１１には、本実施形態に係る水道メータシステム３００の全体構造が示されている。水道メータシステム３００のうち中間金具１０Ｃは、下端有底の円筒構造をなしたメータ受容部１１Ｃの外周面から相反する方向に１対の水道管接続部１１Ｊ，１１Ｋを延設した構造をなし、これら水道管接続部１１Ｊ，１１Ｋが、図示しない水道管に接続される。そして、図１１における左側の水道管接続部１１Ｊの内部空間が上流側端部流路１２をなす一方、反対側の水道管接続部１１Ｋの内部空間が下流側端部流路１３をなしている。
【００６０】
メータ受容部１１Ｃは円筒内面を備え、その円筒内面のうち、周方向で互いに１８０度離れた位置に上流側端部流路１２及び下流側端部流路１３の各開口１２Ａ，１３Ａが配置されている。メータ受容部１１Ｃの上端には開放口１４が形成され、この開放口１４から水道メータ２０Ｂを収容した可動部材３０Ｂが挿入されている。そして、可動部材３０Ｂはメータ受容部１１Ｃに対して通水位置と止水位置との間で回動可能に嵌合されている。なお、メータ受容部１１Ｃの上端内周面に嵌合されたＣリング１５が可動部材３０Ｂを抜け止めしている。
【００６１】
水道メータ２０Ｂは、円柱構造をなし、下端寄り部分に計測流路２１を備える。計測流路２１は水道メータ２０Ｂを径方向に貫通しており、この計測流路２１を流れる水道水の通過体積が、所謂、超音波、電磁誘導又は羽根車を利用して計量される。
【００６２】
図１１に示すように、水道メータ２０Ｂの上端には、外周面の全周に亘ってＯリング溝が形成され、ここにＯリング２３Ａが装着されている。また、水道メータ２０Ｂの外面には、計測流路２１の上流側の開口縁を囲むようにＯリング溝が形成され、ここにＯリング２３Ｂが装着されている。これらＯリング２３Ａ，２３Ｂは可動部材３０Ｂの内周面に押し潰されて密着している。
【００６３】
また、図１０に示すように、水道メータ２０Ｂの外周面のうち、周方向で互いに１８０度離れた位置には、水道メータ２０Ｂと後述する可動部材３０Ｂとを一体回動可能に連結した１対の連結凸部が設けられている。
【００６４】
水道メータ２０Ｂの上端には計量結果を表示するための表示部Ｍが一体に設けられて中間金具１０Ｃから露出している。表示部Ｍは、所謂、バヨネット式の係止構造を備え、周縁部に形成された複数の係止爪によりメータ受容部１１Ｃの上端縁に係止されている。
【００６５】
さて、可動部材３０Ｂは、以下のようである。可動部材３０Ｂは下端有底の円筒形状をなして水道メータ２０Ｂのほぼ全体を収容し、その周方向で互いに１８０度離れた位置に、可動部材３０Ｂの円筒壁部を貫通した上流側中継流路３１Ａ及び下流側中継流路３１Ｂが形成されている。
【００６６】
図１１に示すように、可動部材３０Ｂの上端には外周面の全周に亘ってＯリング溝が形成され、ここにＯリング３３Ａが装着されている。また、可動部材３０Ｂの外周面には、上流側中継流路３１Ａの開口縁を囲むようにＯリング溝が形成され、ここにＯリング３３Ｂが装着されている。これらＯリング３３Ａ，３３Ｂはメータ受容部１１Ｃの内面に押し潰されて密着している。
【００６７】
図１０に示すように、可動部材３０Ｂの上端内面のうち、周方向で互いに１８０度離れた位置には、１対の連結溝３４，３４が形成されている。連結溝３４は可動部材３０Ｂの軸方向に延びて、上端開口３２側に開放している。そして、この連結溝３４に水道メータ２０Ｂの連結凸部が凹凸嵌合することで、水道メータ２０Ｂの計測流路２１と可動部材３０Ｂの上流側中継流路３１Ａ及び下流側中継流路３１Ｂとが同一軸線状に配置されるように位置決めされている。また、これら連結溝３４と連結凸部とにより、水道メータ２０Ｂと可動部材３０Ｂとを一体回動可能としつつ、水道メータ２０Ｂを可動部材３０Ｂに対して挿抜可能としてある。
【００６８】
可動部材３０Ｂの下面中央には、メータ受容部１１Ｃの底面に向かって突出したボス３６が形成されている。即ち、可動部材３０Ｂの下面のうち、ボス３６のみがメータ受容部１１Ｃの底面に接触し、その他の部分がメータ受容部１１Ｃの底面から浮いている。これにより、可動部材３０Ｂの下面全体がメータ受容部１１Ｃの底面に接触したものに比べて、可動部材３０Ｂをメータ受容部１１Ｃに対して回動させる際に可動部材３０Ｂの下面にかかる摩擦が軽減され、可動部材３０Ｂを回動させ易くなっている。
【００６９】
ところで、可動部材３０Ｂの外周面には、バイパス流路３７が形成されている。バイパス流路３７は、可動部材３０Ｂの外周面を半周に亘って陥没させた溝構造をなしている。詳細には、可動部材３０Ｂのうち、上流側中継流路３１Ａから周方向における一方向（図１３における時計回り方向）に約４５度離れた位置には、バイパス入口部３７Ａが形成され、下流側中継流路３１Ｂから周方向における一方向に約４５度離れた位置には、バイパス出口部３７Ｂが形成されている。そして、バイパス流路３７は、バイパス入口部３７Ａから斜め上方に延び、可動部材３０Ｂの上端寄り部分を周方向に延びて下流側中継流路３１Ｂの上方を通り（図１１を参照）、ここから斜め下方に延びてバイパス出口３７Ｂに繋がっている（図１２を参照）。なお、バイパス流路は、可動部材３０Ｂの外周面を全周に亘って陥没させた溝構造をなしていてもよい。
【００７０】
可動部材３０Ｂの外周面のうち、周方向において上流側中継流路３１Ａを挟んでバイパス入口部３７Ａと反対側の部分（図１３において上流側中継流路３１Ａから反時計回り方向に約４５度離れた部分）、及び、下流側中継流路３１Ｂを挟んでバイパス出口部３７Ｂと反対側の部分（図１３において下流側中継流路３１Ｂから反時計回り方向に約４５度離れた部分）には、上流側端部流路１２及び下流側端部流路１３の各開口１２Ａ，１３Ａよりも大きな径を有する環状溝が形成され、ここにＯリング３３Ｃ，３３Ｃが装着されている。Ｏリング３３Ｃ，３３Ｃは、メータ受容部１１Ｃの内面に押し潰されて密着するようになっている。
【００７１】
本実施形態の水道メータシステム３００に関する構成は以上であり、以下動作について説明する。水道水の通過体積を計量する場合には、可動部材３０Ｂを通水位置に配置する。具体的には、例えば、水道メータ２０Ｂの表示部Ｍに付された目印をメータ受容部１１Ｂに付された通水位置用の目印に一致させように水道メータ２０Ｂを回動操作する。すると、水道メータ２０Ｂと共に可動筒体３０Ｂが一体回動し、図１１及び図１３に示すように、中間金具１０Ｃの上流側端部流路１２及び下流側端部流路１３と、可動部材３０Ｂの上流側中継流路３１Ａ及び下流側中継流路３１Ｂと、水道メータ２０Ｂの計測流路２１とが同軸線上に配置される。即ち、水道水が上流側端部流路１２から計測流路２１を通過して下流側端部流路１３に向かって流れて、計測流路２１を通過する際に水道水の通過体積が計量される。
【００７２】
さて、水道メータ２０Ｂを検査或いは交換する場合には以下の手順により、水道メータ２０Ｂを中間金具１０Ｃから取り外す。まず、可動筒体３０Ｂを通水位置から止水位置に向けて（図１３における反時計回り方向）に回動操作する。具体的には、表示部Ｍを把持して、表示部Ｍの目印をメータ受容部１１Ｂに付された止水位置用の目印に近づけるように水道メータ２０Ｂを回動操作する。すると、可動筒体３０Ｂが水道メータ２０Ｂと一体に回動し、可動筒体３０Ｂの上流側中継流路３１Ａ及び下流側中継流路３１Ｂが中間金具１０Ｃの上流側端部流路１２及び下流側端部流路１３に対して徐々にずらされる。そして、可動筒体３０Ｂが図１３における反時計回り方向に約４５度回動されて止水位置に至ると、図１４の（Ａ）に示すように、上流側中継流路３１Ａ及び下流側中継流路３１Ｂがメータ受容部１１Ｃの内面で塞がれ、代わりに、上流側端部流路１２の開口１２Ａとバイパス入口部３７Ａ、及び、下流側端部流路１３の開口１３Ａとバイパス出口部３７Ｂとが整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３７により連絡される。このとき、表示部Ｍに備えたバヨネットとメータ受容部１１Ｂの上端縁との係止が解除されるので、水道メータ２０Ｂを上方に引き上げ、可動筒体３０Ｂの上端開口３２から抜き取る。
【００７３】
このとき、水道水は、可動部材３０Ｂの内側に流れ込むことはなく、バイパス流路３７を通って上流側端部流路１２から下流側端部流路１３に向けて流される（図１４の（Ｂ）を参照）。
【００７４】
また、水道メータ２０Ｂの着脱操作時に断水状態にする場合は、可動部材３０Ｂを通水位置から、止水位置とは反対方向（図１３における時計回り方向）に約４５度回動する。すると、図１５に示すように、上流側端部流路１２及び下流側端部流路１３の各開口１２Ａ，１３Ａが可動部材３０Ｂの外面で塞がれて、上流側端部流路１２と下流側端部流路１３との間が断絶する。そして、水道水は上流側端部流路１２及び下流側端部流路１３の内部で堰き止められて可動部材３０Ｂの内側及びバイパス流路３７に流れ込まなくなる。
【００７５】
このとき、可動部材３０Ｂの外面に装着されたＯリング３３Ｃ，３３Ｃが、上流側端部流路１２及び下流側端部流路１３の各開口１２Ａ，１３Ａを囲むようにメータ受容部１１Ｃの内面に密着するので、堰き止められた水道水がメータ受容部１１Ｃと可動部材３０Ｂとの隙間に浸入することが防がれる。
【００７６】
検査の済んだ水道メータ２０Ｂ或いは新規な水道メータ２０Ｂは、可動筒体３０Ｂの上端開口３２から挿入して、水道メータ２０Ｂの連結凸部２４，２４と可動筒体３０Ｂの連結溝３４とを凹凸嵌合させ、Ｃリング１５で固定する。そして、水道メータ２０Ｂを回動操作することで可動筒体３０Ｂを通水位置に戻せば、再び水道メータシステム３００の計量流路２１に通水されて、水道水の通過体積が計量可能となる。
本実施形態の水道メータシステム３００によれば、上記第２実施形態と同等の効果を奏することができる。
【００７７】
［第４実施形態］
本発明の第４実施形態を図１６〜図２０に基づいて説明する。なお、前記第１〜第３実施形態と同じ構成については、同一符号を付す。
【００７８】
図１６には、本実施形態に係る水道メータシステム４００の全体構造が示されている。水道メータシステム４００のうち中間金具１０Ｄは、下端有底の円筒形状をなしたメータ受容部１１Ｄの外周面から相反する方向に１対の水道管接続部１１Ｊ，１１Ｋを延設した構造をなし、これら水道管接続部１１Ｊ，１１Ｋが、図示しない水道管に接続される。水道管接続部１１Ｊ，１１Ｋのメータ受容部１１Ｄ寄り部分は、メータ受容部１１Ｄに近づくに従って窄んで内部空間を徐々に絞った構造をなしている。そして、図１６における左側の水道管接続部１１Ｊの内部空間が上流側端部流路１２をなす一方、反対側の水道管接続部１１Ｋの内部空間が下流側端部流路１３をなしている。
【００７９】
メータ受容部１１Ｄは円筒内面を備え、その円筒内面のうち、周方向で互いに１８０度離れた位置に上流側端部流路１２及び下流側端部流路１３の各開口１２Ａ，１３Ａが配置されている。これら各開口１２Ａ，１３Ａは、図１８の（Ｂ）に示すように、横長の矩形状をなしている。
【００８０】
図２０の（Ａ）に示すように、メータ受容部１１Ｄの周壁にはパッキン着脱用窓１１Ｒが貫通形成されている。パッキン着脱用窓１１Ｒは、両水道管接続部１１Ｊ，１１Ｋから９０度ずつ離れた位置に設けられている。パッキン着脱用窓１１Ｒは横長矩形状をなし、通常使用時は蓋体１１Ｓによって塞がれている（図１８の（Ａ）を参照）。
【００８１】
メータ受容部１１Ｄの底壁には位置決め凸部１１Ｐが設けられている。位置決め凸部１１Ｐはメータ受容部１１Ｄの底壁から起立してメータ受容部１１Ｄの径方向（図１６における紙面に直交する方向）に延びた壁構造をなしている。
【００８２】
メータ受容部１１Ｄの上端には開放口１４が形成され、その開放口１４から水道メータ２０Ｄを収容した可動部材３０Ｄが挿入されている。そして可動部材３０Ｄは、メータ受容部１１Ｄに対して後述する通水位置と止水位置との間で回動可能に嵌合されている。
【００８３】
水道メータ２０Ｄは、メータ受容部１１Ｄよりも長い円柱構造をなし、下端寄り部分に水道メータ２０Ｄを径方向に貫通した計測流路２１を備える。計測流路２１は、幅方向の寸法に比べて高さ方向の寸法が短い断面扁平空間で構成され、この計測流路２１を流れる水道水の通過体積が、所謂、超音波、電磁誘導又は羽根車を利用して計量される。水道メータ２０Ｄの外周面で、計測流路２１よりも上側部分と下側部分とには、外周面の全周に亘ってＯリング溝が形成され、ここに装着されたＯリング２３Ｃ，２３Ｃが可動部材３０Ｄの内面に密着している。さらに、水道メータ２０Ｄの下面中央には、位置決め凹部２５が形成され、ここにメータ受容部１１Ｄの位置決め凸部１１Ｐが凹凸嵌合している（図１６及び図１７を参照）。位置決め凹部２５と位置決め凸部１１Ｐとが凹凸嵌合すると、水道メータ２０Ｄの計測流路２１と、上流側端部流路１２及び下流側端部流路１３の各開口１２Ａ，１３Ａとが同軸線上に配置されかつ、水道メータ２０Ｄがメータ受容部１１Ｄに対して回り止めされる。
【００８４】
水道メータ２０Ｄの上端には水道水の計量結果を表示するための表示部Ｍが一体に設けられている。表示部Ｍは、水道メータ２０Ｄよりも径の大きい扁平な円柱構造をなしている。そして、通常使用時には、表示部Ｍの周縁部に係止された連結ナット８１が次述する可動部材３０Ｄの上端部に締め付けられて、水道メータ２０Ｄと可動部材３０Ｄとが一体に固定されている。なお、水道メータ２０Ｄと中間金具１０Ｄとの間は、常には図示しない取り外し防止部材によって連結されており、正規の作業者ではない者によって不正に水道メータ２０Ｄが取り外されることが防止されている。 
【００８５】
さて、可動部材３０Ｄは、以下のようである。可動部材３０Ｄは、メータ受容部１１Ｄよりも長い両端開放の円筒構造をなし、その周方向で互いに１８０度離れた位置には、可動部材３０Ｄの円筒壁部を貫通した上流側中継流路３１Ａ及び下流側中継流路３１Ｂが形成されている。これら上流側中継流路３１Ａ及び下流側中継流路３１Ｂは、計測流路２１と同様に、幅方向の寸法に比べて高さ方向の寸法が短い断面扁平空間で構成されている。
【００８６】
図１９に示すように、可動部材３０Ｄの外面には、両中継流路３１Ａ，３１Ｂの各開口を囲むようにパッキン装着溝が形成され、ここに装着されたパッキン３３Ｄ，３３Ｄがメータ受容部１１Ｄの内面に密着するようになっている（図１６を参照）。
【００８７】
可動部材３０Ｄのうち中間金具１０Ｄの開放口１４から露出した部分には固定用フランジ部３９Ａが形成され、この固定用フランジ３９Ａがメータ受容部１１Ｄの上端部に突き当たっている。また、固定用フランジ３９Ａの上方には、側方に張り出した操作用グリップ３９Ｂ（本発明の「操作部」に相当する）が設けられ、操作用グリップ３９Ｂと固定用フランジ３９Ａとの間の溝部に連結ナット８０が係止されている。そして通常使用時には、この連結ナット８０がメータ受容部１１Ｄの上端部に締め付けられて、可動部材３０Ｄがメータ受容部１１Ｄに対して回動不能に固定されている。
【００８８】
ところで、可動部材３０Ｄを構成する円筒壁部の内部にはバイパス流路３８が形成されている。図２０の（Ａ）に示すように、バイパス流路３８は、可動部材３０Ｄのほぼ半周に亘って延びている。
【００８９】
詳細には、上流側中継流路３１Ａから周方向における一方向（図２０（Ａ）における時計回り方向）に約９０度離れた位置と、下流側中継流路３１Ｂから周方向における一方向に約９０度離れた位置とには、バイパス流路３８の端部空間３８Ａ，３８Ａが形成され、これら両端部空間３８Ａ，３８Ａを１対の閉塞流路３８Ｃ，３８Ｃによって連絡した構造をなす。
【００９０】
図１７に示すように、両端部空間３８Ａ，３８Ａは、奥行き幅が上下方向の幅に比べて薄い扁平空間となっており、メータ受容部１１Ｄの内面側に開口している。これら両端部空間３８Ａ，３８Ａの開口は、上流側端部流路１２及び下流側端部流路１３の各開口１２Ａ，１３Ａの形状に対応して横長矩形状をなしている。
【００９１】
一方、図１６に示すように、閉塞流路３８Ｃ，３８Ｃは周囲を円筒壁部によって塞がれており、幅寸法に比べて上下寸法が短い扁平空間となっている。閉塞流路３８Ｃ，３８Ｃは、図２０の（Ａ）に示すように、円筒壁部の内部を可動部材３０Ｄの周方向に沿って円弧状に延びかつ、図２０の（Ｂ）に示すように、可動部材３０Ｄの円筒壁部の内部で上流側中継流路３１Ａを上下方向から挟むように立体交差して互いに平行となっている。
【００９２】
図１９に示すように、可動部材３０Ｄの外周面には、バイパス流路３８の両端部空間３８Ａ，３８Ａの開口を囲むように、パッキン３３Ｅ，３３Ｅが装着されている。これらパッキン３３Ｅ，３３Ｅは、可動部材３０Ｄの外周面に陥没形成されたパッキン装着溝に嵌合され、メータ受容部１１Ｄの内面に密着するようになっている。
【００９３】
本実施形態の水道メータシステム４００に関する構成は以上であり、以下動作について説明する。水道水の通過体積を計量する場合には、可動部材３０Ｄを通水位置に配置する。具体的には、例えば、可動部材３０Ｄに付された位置決め用の目印を中間金具１０Ｄに付された通水位置用の目印に一致させる。すると、図１６に示すように、中間金具１０Ｄの上流側端部流路１２及び下流側端部流路１３の各開口１２Ａ，１３Ａと、可動部材３０Ｄの上流側中継流路３１Ａ及び下流側中継流路３１Ｂと、水道メータ２０Ｄの計測流路２１とが同一軸線上に配置される。即ち、水道水が上流側端部流路１２から計測流路２１を通って下流側端部流路１３に向かって流れて、計測流路２１を通過する際に水道水の通過体積が計量される。
【００９４】
さて、水道メータ２０Ｄを検査或いは交換する場合には、以下の手順により水道メータ２０Ｄを中間金具１０Ｄから取り外す。まず連結ナット８０，８１を緩めて、可動部材３０Ｄをメータ受容部１１Ｄ及び水道メータ２０Ｄに対して回動可能な状態とする。次に、可動部材３０Ｄの操作用グリップ３９Ｂを工具或いは手で握って通水位置から止水位置に向けて回動操作する。具体的には、例えば、可動部材３０Ｄの目印をメータ受容部１１Ｄに付された止水位置用の目印に近づける。すると、可動部材３０Ｄが水道メータ２０Ｄの外面とメータ受容部１１Ｄの内面とに摺接しながら回動し、上流側中継流路３１Ａが上流側端部流路１２の開口１２Ａに対してずらされると共に、下流側中継流路３１Ｂが下流側端部流路１３の開口１３Ａに対してずらされる。
【００９５】
そして、可動部材３０Ｄが通水位置から約９０度回転されて止水位置になると（図２０の（Ａ）の状態）、上流側端部流路１２の開口１２Ａには、上流側中継流路３１Ａの代わりにバイパス流路３８の一方の端部空間３８Ａが整合し、下流側端部流路１３の開口１３Ａには、下流側中継流路３１Ｂの代わりにバイパス流路３８の他方の端部空間３８Ａが整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３８により連絡される。この状態で、連結ナット８１を取り外して水道メータ２０Ｄ及び表示部Ｍを可動部材３０Ｄの上端開口３２から上方へ引き抜く。このとき、水道水は、可動部材３０Ｄの内側に流れ込むことはなく、バイパス流路３８を通って上流側端部流路１２から下流側端部流路１３に向けて流される（図２０の（Ｂ）を参照）。
【００９６】
検査の済んだ水道メータ２０Ｄ或いは新規な水道メータ２０Ｄは、可動部材３０Ｄの上端開口３２から挿入して、水道メータ２０Ｄの位置決め凹部２５とメータ受容部１１Ｄの位置決め凸部１１Ｐとを凹凸嵌合させる。次に、可動部材３０Ｄを、水道メータ２０Ｄの取り外し時とは反対方向に９０度回動して通水位置に戻せば、上流側端部流路１２と上流側中継流路３１Ａとの間、及び、下流側中継流路３１Ｂと下流側端部流路１３との間が連通して計測流路２１に水道水が流れる。そして、最後に、連結ナット８０，８１を締め付けて可動部材３０Ｄと水道メータ２０Ｄとを中間金具１０Ｄに固定すれば、再び水道水の通過体積が計量可能となる。
【００９７】
ところで、本実施形態の水道メータシステム４００によれば、可動部材３０Ｄの外周面に装着されたパッキン３３Ｄ，３３Ｅを中間金具１０Ｄの外部からメンテナンスすることができる。具体的には、例えば、可動部材３０Ｄを通水位置に配置した状態で蓋体１１Ｓを取り外すと、パッキン着脱用窓１１Ｒから、バイパス流路３８の端部空間３８Ａ，３８Ａの開口を囲んだパッキン３３Ｅ，３３Ｅの何れか一方が中間金具１０Ｄの外部に露出される。そして、パッキン着脱用窓１１Ｒを介して、そのパッキン３３Ｅを点検・交換する。このとき、水道水は、上流側中継流路３１Ａ及び下流側中継流路３１Ｂと、計測流路２１とを通って下流側に流されている。
【００９８】
パッキン３３Ｅの点検・交換が終わったら、可動部材３０Ｄを９０度回転させて止水位置にする（図２０の（Ａ）の状態）。すると、上流側中継流路３１Ａ又は下流側中継流路３１Ｂの開口を囲んだパッキン３３Ｄ，３３Ｄの何れか一方がパッキン着脱用窓１１Ｒから外部に露出される。そして、パッキン着脱用窓１１Ｒを介してこのパッキン３３Ｄを点検・交換する。このとき、水道水はバイパス流路３８を通って下流側に流されている。
【００９９】
以下同様に、可動部材３０Ｄを一方向に９０度回転させる毎にパッキン着脱用窓１１Ｒからパッキン３３Ｅとパッキン３３Ｄとが交互に露出するので、その都度、点検・交換を行う。全てのパッキン３３Ｄ，３３Ｅの点検・交換が終わったら最後にパッキン着脱用窓１１Ｒに蓋体１１Ｓを取り付けてパッキン３３Ｄ，３３Ｅのメンテナンス作業は終了である。
【０１００】
このように、本実施形態によれば、上記第２，第３実施形態と同等の効果を奏すると共に、断水させることなくパッキン３３Ｄ，３３Ｅのメンテナンス作業を行うことができる。
【０１０１】
［第５実施形態］
本発明の第５実施形態を図２１に基づいて説明する。なお、前記第１〜第４実施形態と同じ構成については、同一符号を付す。
【０１０２】
本実施形態の水道メータシステム５００のうち中間金具１０Ｅは、円筒構造をなしたメータ受容部１１Ｅの外周面から相反する方向に１対の水道管接続部１１Ｊ，１１Ｋを延設した構造をなし、これら水道管接続部１１Ｊ，１１Ｋが、図示しない水道管に接続される。そして、図２１における左側の水道管接続部１１Ｊの内部空間が上流側端部流路１２をなす一方、反対側の水道管接続部１１Ｋの内部空間が下流側端部流路１３をなしている。
【０１０３】
メータ受容部１１Ｅは円筒内面を備え、その円筒内面のうち周方向で互いに１８０度離れた位置に上流側端部流路１２及び下流側端部流路１３の各開口１２Ａ，１３Ａが配置されている。メータ受容部１１Ｅの上端には開放口１４が形成され、この開放口１４から水道メータ２０Ｅを収容した可動部材３０Ｅが挿入される。そして可動部材３０Ｅは、メータ受容部１１Ｅの内側において、通水位置と止水位置との間で回動可能に嵌合されている。
【０１０４】
メータ受容部１１Ｅの底壁中央には、可動部材突入孔１１Ｍが設けられ、その側方には、水道メータ位置決め孔１１Ｌが設けられている。また、メータ受容部１１Ｅの底壁内面に敷設された図示しない滑りシートにより可動部材３０Ｅをメータ受容部１１Ｅに対して回動した際の可動部材３０Ｅの下面にかかる摩擦が軽減されている
【０１０５】
水道メータ２０Ｅは略円柱構造をなし、上端部に表示部Ｍを備えると共に表示部Ｍの真下位置に計測流路２１を備える。表示部Ｍは、水道メータ２０Ｅの上端部に形成された陥没凹所に嵌め込まれて、例えば、スナップフィット８６及び押さえナット８５により水道メータ２０Ｅに取り付けられている。
【０１０６】
計測流路２１は水道メータ２０Ｅを径方向に貫通しており、この計測流路２１を通過する水道水の通過体積が計量される。ここで、本実施形態の水道メータ２０Ｅの主要部は、所謂、軸流羽根車式流量計で構成されている。即ち、計測流路２１の内側には、計測流路２１の軸線方向（図２１における左右方向）に軸支された羽根車８３が備えられている。そして、羽根車８３の回転数を羽根車８３の外縁部に備えたマグネット８３Ｍと、表示部Ｍの下端部に備えた磁気センサー８４とで検出し、その回転数に基づいて通過体積を算出して表示部Ｍにて表示している。なお、水道メータ２０Ｅの主要部を、所謂、超音波式流量計又は電磁式流量計としてもよい。
【０１０７】
水道メータ２０Ｅのうち計測流路２１よりも上側部分と下側部分とには、水道メータ２０Ｅの外周面の全周に亘ってＯリング溝が形成され、ここに装着されたＯリング２３Ｃ，２３Ｃが可動部材３０Ｅの内面に密着している。
【０１０８】
水道メータ２０Ｅの下面には、位置決め凸部２６が形成されている。位置決め凸部２６は、可動部材３０Ｅの底部を貫通してメータ受容部１１Ｅに形成された位置決め孔１１Ｌに嵌合している。位置決め凸部２６と位置決め孔１１Ｌとが凹凸嵌合すると、水道メータ２０Ｅの計測流路２１が上流側端部流路１２及び下流側端部流路１３と同軸線上に配置されかつ、水道メータ２０Ｅがメータ受容部１１Ｅに対して回り止めされる。なお、表示部Ｍが取り付けられた状態の水道メータ２０Ｅは、メータ受容部１１Ｅの開放口１４に螺合した押さえナット８５に係止されて、メータ受容部１１Ｅからの抜け止めが図られている。以上が水道メータ２０Ｅの説明である。なお、水道メータ２０Ｅと中間金具１０Ｅとの間は、常には図示しない取り外し防止部材によって連結されており、正規の作業者ではない者によって不正に水道メータ２０Ｅが取り外されることが防止されている。 
【０１０９】
さて、水道メータ２０Ｅを収容した可動部材３０Ｅは、以下のようである。可動部材３０Ｅは全体として下端有底の円筒形状をなし、その周方向で互いに１８０度離れた位置に、可動部材３０Ｅの円筒壁部を貫通した上流側中継流路３１Ａ及び下流側中継流路３１Ｂが形成されている。
【０１１０】
可動部材３０Ｅの上端部と下端部とには、可動部材３０Ｅの外周面の全周に亘ってＯリング溝が形成され、ここにＯリング３３Ａ，３３Ａが装着されている。また、可動部材３０Ｅの外周面には上流側中継流路３１Ａ及び下流側中継流路３１Ｂの開口を囲むようにＯリング溝が形成され、ここにもＯリング３３Ｂ，３３Ｂが装着されている。そして、これらＯリング３３Ａ，３３Ｂがメータ受容部１１Ｅの内面に密着している。
【０１１１】
可動部材３０Ｅは、メータ受容部１１Ｅの上端内周面に嵌合されたＣリング１５により抜け止めされている。また、Ｃリング１５と可動部材３０Ｅとの間には、例えば、ゴム製の押さえリング８２が挟まれており、可動部材３０Ｅの上下方向におけるがたつきが防止されている。さらに押さえリング８２と可動部材３０Ｅとの間には挟まれた図示しない滑りシートにより、可動部材３０Ｅをメータ受容部１１Ｅに対して回動した際の可動部材３０Ｅの上端面にかかる摩擦が軽減されている。
【０１１２】
可動部材３０Ｅの底部は、メータ受容部１１Ｅの可動部材突入孔１１Ｍに突入してメータ受容部１１Ｅの下面側に露出しており、この露出部分に可動部材３０Ｅを回動操作するための操作レバー４０が備えられている。即ち、中間金具１０Ｅの外部から直接、可動部材３０Ｅを回動操作可能となっている。なお、操作レバー４０は可動部材３０Ｅに対して着脱可能であってもよい。
【０１１３】
本実施形態の水道メータシステム５００に関する構成は以上であり、以下動作について説明する。水道水の通過体積を計量する場合には、可動部材３０Ｅを通水位置に配置する。具体的には、例えば図２１に示すように、操作レバー４０を水道管接続部１１Ｊ，１１Ｋに対して略平行にし、中間金具１０Ｅの上流側端部流路１２及び下流側端部流路１３と、可動部材３０Ｅの上流側中継流路３１Ａ及び下流側中継流路３１Ｂと、水道メータ２０Ｅの計測流路２１とを同軸線上に配置させる。すると、水道水が上流側端部流路１２から計測流路２１を通過して下流側端部流路１３に向かって流れて、計測流路２１を通過する際に羽根車８３を回転させることで水道水の通過体積が計量される。
【０１１４】
さて、水道メータ２０Ｅを検査或いは交換する場合には以下の手順により水道メータ２０Ｅを中間金具１０Ｅから取り外す。まず、操作レバー４０を操作して可動部材３０Ｅを通水位置から止水位置に向けて回動させる。すると、可動部材３０Ｅがメータ受容部１１Ｅと水道メータ２０Ｅとの間で摺動して、可動部材３０Ｅの上流側中継流路３１Ａ及び下流側中継流路３１Ｂが中間金具１０Ｅの上流側端部流路１２及び下流側端部流路１３に対して徐々にずらされる。操作レバー４０を通水位置から所定角度（例えば、約９０度）回動させて止水位置に至ると、上流側端部流路１２と計測流路２１との間、及び、計測流路２１と下流側中継流路３１Ｂとの間に可動部材３０Ｅを構成する円筒壁部が配置され、上流側端部流路１２と下流側中継流路３１Ｂとの間が断絶される。この状態で、押さえナット８５を取り外し、表示部Ｍを把持して上方に引き上げると、水道メータ２０Ｅがメータ受容部１１Ｅから引き抜かれる。このとき、水道水は上流側端部流路１２及び下流側端部流路１３の内部で堰き止められて可動部材３０Ｅの内側に流入することはない。
【０１１５】
検査の済んだ水道メータ２０Ｅ或いは新規な水道メータ２０Ｅは、可動部材３０Ｅの上端開口３２から挿入して、水道メータ２０Ｅの位置決め凸部２６とメータ受容部１１Ｅの位置決め孔１１Ｌとが凹凸嵌合するように嵌め込む。次いで、押さえナット８５をメータ受容部１１Ｅの上端部に螺合して水道メータ２０Ｅを抜け止めする。最後に、操作レバー４０を回動操作して可動部材３０Ｅを通水位置に戻せば、上流側端部流路１２と上流側中継流路３１Ａとの間、及び、下流側中継流路３１Ｂと下流側端部流路１３との間が連通して計測流路２１に水道水が流れてその通過体積が計量可能となる。
【０１１６】
本実施形態によれば、上記第１実施形態と同等の効果を奏する。また、中間金具１０Ｅの内部に収容された可動部材３０Ｅを、中間金具１０Ｅの外部から直接、回動操作できるので、通水位置と止水位置との切り替えを比較的容易に行うことができる。
【０１１７】
［第６実施形態］
本発明の第６実施形態を図２２〜図２４に基づいて説明する。なお、前記第１〜第５実施形態と同じ構成については、同一符号を付す。
【０１１８】
図２２には、本実施形態の水道メータシステム６００の全体構造が示されている。同図に示すように、中間金具１０Ｆは、円柱構造をなした本体部１１Ｆ（本発明の「円柱部」に相当する）の下端部から相反する方向に１対の水道管接続部１１Ｊ，１１Ｋを延設しかつ、本体部１１Ｆの外側に可動部材３０Ｆを通水位置と止水位置との間で回動可能に嵌合した構造をなす。そして、この中間金具１０Ｆの上端部、即ち本体部１１Ｆ及び可動部材３０Ｆの上端部に重ねて、水道メータ２０Ｆが着脱可能に取り付けられている。
【０１１９】
水道メータ２０Ｆは中空構造をなし、内部空間が上流部屋２７Ａと下流部屋２７Ｂとに二分割されている。これら上流部屋２７Ａと下流部屋２７Ｂとの間は計測流路２１によって連絡され、この計測流路２１を流れる水道水の通過体積が、所謂、超音波、電磁誘導又は羽根車（図示せず）を利用して計量される。なお、水道メータ２０Ｆは、図示しないボルトによって可動部材３０Ｆに一体に固定されている。なお、水道メータ２０Ｆと中間金具１０Ｆ（可動部材３０Ｆ）との間は、常には図示しない取り外し防止部材によって連結されており、正規の作業者ではない者によって不正に水道メータ２０Ｆが取り外されることが防止されている。 
【０１２０】
本体部１１Ｆの内部には、図２２における左側の水道管接続部１１Ｊの内部空間から上方に延びて、本体部１１Ｆの外周面の上端寄り部分に開口した上流側端部流路１２と、図２２における右側の水道管接続部１１Ｋの内部空間から上方に延びて、本体部１１Ｆの外周面の下端寄り部分に開口した下流側端部流路１３とが形成されている。上流側端部流路１２の下流側の開口１２Ａと下流側端部流路１３の上流側の開口１３Ａは、本体部１１Ｆの周方向において互いに１８０度離れた位置に設けられている。また、本体部１１Ｆの外周面の上端部と下端部及びその中間部には、周方向の全周に亘ってＯリング溝が形成され、ここに装着された３つのＯリング２３Ｄが、次述する可動部材３０Ｆの内周面に押し潰されて密着している。
【０１２１】
可動部材３０Ｆは円筒構造をなし、その円筒壁部の内部に上流側中継流路３１Ａと下流側中継流路３１Ｂとが形成されている。上流側中継流路３１Ａは、一端部が可動部材３０Ｆの上端面に開口して水道メータ２０Ｆの上流部屋２７Ａに連通しかつ、他端部が可動部材３０Ｆの円筒内面に開口して上流側端部流路１２に連通している。一方、下流側中継流路３１Ｂは、一端部が可動部材３０Ｆの上端面に開口して水道メータ２０Ｆの下流部屋２７Ｂに連通しかつ、他端部が可動部材３０Ｆの円筒内面に開口して下流側端部流路１３に連通している。なお、可動部材３０Ｆの円筒壁部で囲まれた内側空間が本発明の「内面円筒嵌合部」に相当する。
【０１２２】
本実施形態の水道メータシステム６００に関する構成は以上であり、以下動作について説明する。水道水の通過体積を計量する場合には、可動部材３０Ｆを通水位置に配置する。具体的には、例えば可動部材３０Ｆに付された目印を本体部１１Ｆの可動部材３０Ｆから露出した部分（例えば、水道管接続部１１Ｊ，１１Ｋ）に付された通水位置用の目印に一致させる。すると、図２２及び図２４の（Ａ）に示すように、中間金具１０Ｆの上流側端部流路１２及び下流側端部流路１３と、可動部材３０Ｆの上流側中継流路３１Ａ及び下流側中継流路３１Ｂとが連通する。すると、水道水は上流側端部流路１２から上流側中継流路３１Ａを経由して上流部屋２７Ａに流入し、ここから計測流路２１に流入する。そして計測流路２１を通過する際に通過体積が計量され、水道水は、下流部屋２７Ｂ及び下流側中継流路３１Ｂを経由して下流側端部流路１３に向かう。
【０１２３】
さて、水道メータ２０Ｆを検査或いは交換する場合には、まず、可動部材３０Ｆを把持し、本体部１１Ｆに対して回動操作して通水位置から止水位置に移動する。具体的には、例えば可動部材３０Ｆを図２４の（Ａ）における反時計回り方向へ回動する。すると、可動部材３０Ｆと水道メータ２０Ｆとが一体回動し、可動部材３０Ｆの上流側中継流路３１Ａ及び下流側中継流路３１Ｂが本体部１１Ｆの上流側端部流路１２及び下流側端部流路１３に対して徐々にずらされる。そして、可動部材３０Ｆが止水位置に至ると、図２３及び図２４の（Ｂ）に示すように、上流側端部流路１２及び下流側端部流路１３の各開口１２Ａ，１３Ａが可動部材３０Ｆの円筒内面で塞がれて、上流側端部流路１２と上流側中継流路３１Ａとの間、及び、下流側中継流路３１Ｂと下流側端部流路１３との間が断絶する。この状態で、水道メータ２０Ｆと可動部材３０Ｆとを固定したボルトを取り外して、図２３に示すように、水道メータ２０Ｆを中間金具１０Ｆの上方に持ち上げる。このとき、水道水は上流側端部流路１２及び下流側端部流路１３の内部で堰き止められているので、水道メータ２０Ｆを取り外した後で中間金具１０Ｆからの水道水の放水が防がれる。
【０１２４】
検査の済んだ水道メータ２０Ｆ或いは新規な水道メータ２０Ｆは、上流部屋と上流側中継流路とが連通しかつ、下流部屋と下流側中継流路とが連通するように中間金具１０Ｆの上端部に載置し、ボルトで可動部材３０Ｆに固定する。そして、止水するときとは反対方向（図２４の（Ｂ）における時計回り方向）に約９０度回動して可動部材３０Ｆを通水位置に戻せば、上流側端部流路１２と上流側中継流路３１Ａとの間、及び、下流側中継流路３１Ｂと下流側端部流路１３との間が連通して計測流路２１に水道水が流れる。これにより水道水の通過体積が計量可能となる。
【０１２５】
このように、本実施形態によれば、可動部材３０Ｆを通水位置と止水位置の間で移動する一操作で、水道メータ２０Ｆの上流側と下流側の端部流路１２，１３の両方を一度に開閉することができ、従来より効率よく水道メータ２０Ｆの着脱作業を行うことが可能になる。
【０１２６】
また、可動部材３０Ｆを止水位置に配置すると可動部材３０Ｆが止水部として機能して、水道メータ２０Ｆよりも上流側と下流側との両方から水道水が可動部材３０Ｆの内側に流れ込まなくなるので、水道メータ２０Ｆを取り外した後の中間金具からの水道水の放水が防がれる。
【０１２７】
しかも、止水部として機能する可動部材３０Ｆは、本体部１１Ｆの外周に嵌合されているので、止水部とメータ受容部とを水道管との接続方向に横並びに配置した従来の水道メータシステムに比較して全長を短くすることができる。従って、従来の止水部を備えた水道メータシステムに比べて設置スペースを省スペース化できる。
【０１２８】
［第７実施形態］
本発明の第７実施形態を図２５〜図２７に基づいて説明する。図２５には、本実施形態の水道メータシステム７００の全体構造が示されている。同図に示すように、中間金具１０Ｇには、可動部材３０Ｇの両端部に嵌合された１対の水道管接続部１１Ｊ，１１Ｋ（本発明の「端部筒体」に相当する）を長ネジ６０（本発明の「連結部材」に相当する）によって互いに連結してなるベース部１１Ｇが設けられ、このベース部１１Ｇに対して可動部材３０Ｇが通水位置と止水位置との間で回動可能となっている。
【０１２９】
ベース部１１Ｇのうち、水道管接続部１１Ｊ，１１Ｋは、図示しない水道管に接続される螺合筒体６１と可動部材３０Ｇに嵌合される嵌合筒体６２との間を扁平管６３で繋いだ構成をなす。そして、図２５及び図２６における左側の水道管接続部１１Ｊの内部空間が上流側端部流路１２を構成する一方、右側の水道管接続部１１Ｋの内部空間が下流側端部流路１３を構成している。
【０１３０】
水道管接続部１１Ｊ，１１Ｋのうち、螺合筒体６１は、円筒形状をなして水道管（図示せず）側に開口している。また、螺合筒体６１の外周面には螺子が形成され、ここにベース部１１Ｇと水道管とを接続するための連結ナット（図示せず）が螺合されるようになっている。
【０１３１】
一方、嵌合筒体６２は、螺合筒体６１よりも径の大きい一端有底の円筒形状をなして可動部材３０Ｇ側に開口し、その奥面６２Ｂの中心からずれた位置に上流側端部流路１２及び下流側端部流路１３の各開口１２Ａ，１３Ａが形成されている（図２６を参照。同図には下流側端部流路１３の開口１３Ａのみが示されている）。嵌合筒体６２の外周面で周方向で互いに１８０度離れた位置にはフランジ６２Ａ，６２Ａが突設され、ここに前記長ネジ６０が差し渡されている。なお、長ネジ６０の両端部に螺合されたナット６０Ａ，６０Ａを締め付けると、水道管接続部１１Ｊ，１１Ｋが互いに近づいて可動部材３０Ｇがベース部１１Ｇに対して回動不能な状態となり、ナット６０Ａ，６０Ａを緩めると水道管接続部１１Ｊ，１１Ｋが互いに離れて可動部材３０Ｇがベース部１１Ｇに対して回動可能な状態となる。
【０１３２】
ところで、可動部材３０Ｇは、円柱体の長手方向の途中部分を外面から中心軸の近傍まで、所謂、蒲鉾状に切除してユニット取付凹部７０を形成した構造をなし、ここに水道メータ２０Ｇが取り付けられている。また、可動部材３０Ｇの中心軸からずれた位置を軸方向に計測流路２１Ｇが貫通しており、ユニット取付凹部７０の底面には、計測流路２１Ｇに連通した計測孔７１が貫通形成されている。
【０１３３】
ここで、水道メータ２０Ｇは、前記ユニット取付凹部７０の形状に対応して、所謂、蒲鉾状をなした表示部Ｍの下面に円柱状の計測突部２８を備えてなる。そして水道メータ２０Ｇのうち、計測突部２８が計測孔７１から計測流路２１Ｇに突入すると共に、表示部Ｍがユニット取付凹部７０の内側に嵌合している。計測突部２８の下端寄り部分には、計測突部２８を径方向に貫通した計測部２８Ａが形成され、水道水の通過体積はこの計測部２８Ａを通過する際に、所謂、超音波、電磁誘導又は羽根車を利用して計量される。
【０１３４】
可動部材３０Ｇの両端面には、例えばゴム製のパッキン３３Ｆが敷設され、このパッキン３３Ｆが水道管接続部１１Ｊ，１１Ｋに備えた嵌合筒体６２の奥面６２Ｂ（図２６を参照）に密着している。また、可動部材３０Ｇの両端部の外周面には周方向の全周に亘ってＯリング３３Ｇが装着され、これらＯリング３３Ｇが嵌合筒体６２の内周面に密着している。なお、ユニット取付凹部７０の底面と水道メータ２０Ｇの表示部Ｍの下面との間には計測孔７１を囲むようにしてＯリング３３Ｈが挟まれている。
【０１３５】
本実施形態の水道メータシステム７００に関する構成は以上であり、以下動作について説明する。水道水の通過体積を計量する場合には、可動部材３０Ｇを通水位置に配置する。具体的には、例えば可動部材３０Ｇに付された目印を水道管接続部１１Ｊ，１１Ｋに付された通水位置用の目印に一致させる。すると、図２７の（Ａ）に示すように、上流側端部流路１２及び下流側端部流路１３の各開口１２Ａ，１３Ａと、可動部材３０Ｆの計測流路２１Ｇの両端開口とが整合する。これにより、水道水は上流側端部流路１２から計測流路２１に流入し、水道メータ２０Ｇに備えた計測部２８Ａを通過して通過体積が計量される。計測部２８Ａを通過した水道水は計測流路２１Ｇから下流側端部流路１３を通って水道メータシステム７００の下流側へ流れる。
【０１３６】
さて、水道メータ２０Ｇを検査或いは交換する場合には以下の手順により、水道メータ２０Ｇを中間金具１０Ｇから取り外す。具体的には、まず、長ネジ６０の両端部に螺合されたナット６０Ａを緩めて、可動部材３０Ｇをベース部１１Ｇに対して回動可能な状態とする。次に可動部材３０Ｇを把持して周方向における一方向に回動操作し、通水位置から止水位置に移動する。具体的には、例えば可動部材３０Ｇを図２７の（Ａ）における反時計回り方向へ回動操作する。すると、可動部材３０Ｆの両端面に備えたパッキン３３Ｆが嵌合筒体６２の奥面６２Ｂに摺接、或いは、嵌合筒体６２の奥面６２Ｂから離れた状態で回動し、可動部材３０Ｆの計測流路２１Ｇの両端開口が上流側端部流路１２及び下流側端部流路１３の各開口１２Ａ，１３Ａに対して徐々にずらされる（図２７の（Ｂ）を参照）。そして、可動部材３０Ｆが通水位置から約１８０度回動して止水位置に至ると、図２７の（Ｃ）に示すように、上流側端部流路１２及び下流側端部流路１３の各開口１２Ａ，１３Ａが可動部材３０Ｆの両端面に備えたパッキン３３Ｆで塞がれて、上流側端部流路１２及び下流側端部流路１３と計測流路２１Ｇとの間が断絶する。この状態で、水道メータ２０Ｇを固定したボルトＢＴを取り外して、水道メータ２０Ｇをユニット取付凹部７０から引き離すように移動すると水道メータ２０Ｇが中間金具１０Ｇから取り外される。このとき、水道水は上流側端部流路１２及び下流側端部流路１３の内部で堰き止められているので、水道メータ２０Ｇを取り外した後で中間金具１０Ｇからの水道水の放水が防がれる。
【０１３７】
検査の済んだ水道メータ２０Ｇ或いは新規な水道メータ２０Ｇは、計測突部２８を計測孔７１に挿入し、表示部２９ＢをＯリング３３Ｈを介してユニット取付凹部７０に嵌合した状態でボルトＢＴによって可動部材３０Ｇに固定する。そして、可動部材３０Ｇの周方向における一方向（例えば、図２７の（Ｃ）における時計回り方向）に約１８０度回動して可動部材３０Ｇを通水位置に戻す。最後に、長ネジ６０の両端部のナット６０Ａを締め付けて可動部材３０Ｇをベース部１１Ｇに対して回動不能に固定する。以上で、水道メータ２０Ｇの検査・交換作業は終了であり、再び水道メータシステム７００により水道水の通過体積が計量可能となる。
【０１３８】
このように、本実施形態によれば、可動部材３０Ｇを止水位置に配置すると可動部材３０Ｇが止水部として機能して、水道水が可動部材３０Ｇの内側に流れ込まなくなるので、水道メータ２０Ｇを取り外した後の中間金具１０Ｇからの水道水の放水が防がれる。そして、可動部材３０Ｇを通水位置と止水位置の間で移動する一操作で、水道メータ２０Ｇの上流側端部流路１２と下流側端部流路１３の各開口１２Ａ，１３Ａの両方を一度に開閉することができ、従来より効率よく水道メータ２０Ｇの着脱作業を行うことが可能になる。なお、水道メータ２０Ｇと中間金具１０Ｇ（可動部材３０Ｇ）との間は、常には図示しない取り外し防止部材によって連結されており、正規の作業者ではない者によって不正に水道メータ２０Ｇが取り外されることが防止されている。 
【０１３９】
［第８実施形態］
本発明の第８実施形態を図２８及び図２９に基づいて説明する。図２８には、本実施形態の水道メータシステム８００の全体構造が示されている。同図に示すように、水道メータシステム８００の中間金具１０Ｈは、両端開放の円筒壁９０（本発明の「筒壁」に相当する）の下端開口９０Ｂ（本発明の「開閉口」に相当する）の周りを包囲壁９１で包囲してなり、この中間金具１０Ｈから相反する方向に１対の水道管接続部１１Ｊ，１１Ｋを延設した構造をなす。そして、これら水道管接続部１１Ｊ，１１Ｋが、図示しない水道管に接続される。本実施形態では、図２８における左側の水道管接続部１１Ｊの内部空間が上流側端部流路１２をなす一方、反対側の水道管接続部１１Ｋの内部空間が下流側端部流路１３をなしている。
【０１４０】
上流側端部流路１２の下流側開口１２Ｂ（本発明の「終端口」に相当する）は、包囲壁９１内に連通しており、下流側端部流路１３の上流側開口１３Ｂ（本発明の「始端口」に相当する）は、円筒壁９０の上端開口９０Ａ（本発明の「収容口」に相当する）寄りの側部に開口している。また、円筒壁９０の内周面で下流側端部流路１３の上流側開口１３Ｂよりも下側には、Ｏリング溝が形成され、ここにＯリング３３Ｋが嵌合されている。そして、円筒壁９０の上端開口９０Ａから挿入組付された水道メータ２０Ｈにより、中間金具１０Ｈ内を通過する水道水の通過体積が計量される。
【０１４１】
水道メータ２０Ｈは、計量結果を表示する表示部Ｍから下端開放の羽根車収容筒２９を突出した構造をなし、その羽根車収容筒２９の内部に羽根車８３が収容されている。
【０１４２】
水道メータ２０Ｈの各部について説明すると、表示部Ｍは羽根車収容筒２９に向かって段付き状に縮径した扁平円柱構造をなし、円筒壁９０の上端内側に嵌合して上端開口９０Ａを閉塞している。また、表示部Ｍの下端外周面にはＯリング３３Ｊが装着され、このＯリング３３Ｊが円筒壁９０の内周面に密着している。
【０１４３】
羽根車収容筒２９は、表示部Ｍの下面中央から円筒壁９０の下端開口９０Ｂに向かって延びた円筒形状をなして、後述する直動筒体３０Ｈの内周面に摺接可能に嵌合している。また、羽根車収容筒２９の上端寄り部分には、直動筒体３０Ｈに形成された連通孔７２を介して下流側端部流路１３の上流側開口１３Ｂと整合した側部開口２９Ａが貫通形成されている。
【０１４４】
羽根車８３は、複数の羽根８３Ａをシャフト８３Ｂの外周面から放射状に張り出して備える。シャフト８３Ｂの軸心部には、下端開放の空洞が形成され、その空洞内に図示しない軸受けが組み付けられている。そしてシャフト８３Ｂの下端から空洞内に、支持ピン７３Ｂが挿入されて、その支持ピン７３Ｂの先端が軸受けに突き当てられている。支持ピン７３Ｂは、羽根車収容筒２９の下端開口の中心部から起立して、放射状に延びた複数のリブによって羽根車収容筒２９に一体に設けられている。なお、水道メータ２０Ｈと中間金具１０Ｈとの間は、常には図示しない取り外し防止部材によって連結されており、正規の作業者ではない者によって不正に水道メータ２０Ｈが取り外されることが防止されている。 
【０１４５】
さて、中間金具１０Ｈのうち、円筒壁９０の内部には、両端開放の直動筒体３０Ｈ（本発明の「直動部材」「可動部材」に相当する）が通水位置と止水位置との間で直動可能に嵌合されている。直動筒体３０Ｈは円筒形状をなしその上端開口３２寄りの側部には連通孔７２が貫通形成されている。そして、図２８に示すように、直動筒体３０Ｈが通水位置に配置された場合には、連通孔７２は下流側端部流路１３の上流側開口１３Ｂ及び羽根車収容筒２９の側部開口２９Ａと整合している。つまり、円筒壁９０（詳細には、羽根車収容筒２９）の内部空間と下流側端部流路１３とが連通している。
【０１４６】
直動筒体３０Ｈの下端開口の中心部にはボス部７３が備えられ、ボス部７３と直動筒体３０Ｈとの間が、例えば、放射状に延びた複数のリブ７３Ａによって繋がっている。ボス部７３は、下方に向かって丸みを帯びて先細りとなった形状をなしている。
【０１４７】
ボス部７３の周面からは、下方に向かって例えば３つの脚部７３Ｃ（本発明の「連絡部材」に相当する）が放射状に張り出しており、これら脚部７３Ｃの下端部には閉塞盤７３Ｄが設けられている。閉塞盤７３Ｄは、円筒壁９０の下端開口９０Ｂよりも径の大きい円板形状をなし、例えば、中央部分がプラスチックで構成され、周縁部分がゴム等の軟質性のシール部材７３Ｅで構成されている。そして、図２８に示すように、直動筒体３０Ｈが通水位置に配置された場合には、閉塞盤７３Ｄは中間金具１０Ｈの底部に配置され、円筒壁９０の下端開口９０Ｂが開放されている。
【０１４８】
ここで、本実施形態では、直動筒体３０Ｈが通水位置に配置された場合における、円筒壁９０の上端開口９０ＡからＯリング３３Ｊが密着した部分までの距離が、閉塞盤７３Ｄの上面から円筒壁９０の下端開口９０Ｂまでの距離よりも長くなるように構成されている。つまり、閉塞盤７３Ｄが円筒壁９０の下端開口９０Ｂから離れている場合には、常に、Ｏリング３３Ｊが円筒壁９０の内周面に密着するようになっている。これにより、可動筒体３０Ｈが通水位置と止水位置との間を移動する途中で中間金具１０Ｈから漏水することが防止されている。
【０１４９】
本実施形態の水道メータシステム８００に関する構成は以上であり、以下動作について説明する。水道メータ２０Ｈを検査或いは交換する場合には以下の手順により、水道メータ２０Ｈを中間金具１０Ｈから取り外す。即ち、水道メータ２０Ｈを中間金具１０Ｈに固定した図示しないボルトを取り外し、表示部Ｍを把持して上方に引き上げる。すると、図示しない係止機構によって水道メータ２０Ｈに係止された直動筒体３０Ｈが水道メータ２０Ｈと共に上方へ移動して、閉塞盤７３Ｄが上方へ移動すると共に、円筒壁９０の連通孔７２が下流側端部流路１３の上流側開口１３Ｂに対して徐々にずらされる。このとき、水道メータ２０Ｈ（詳細には、表示部Ｍ）に装着されたＯリング３３Ｊは、円筒壁９０の内周面に密着しているので、水道メータ２０Ｈと中間金具１０Ｈとの隙間からの漏水が防がれる。
【０１５０】
水道メータ２０Ｈをさらに引き上げると、閉塞盤７３Ｄの周縁部が円筒壁９０の下端開口９０Ｂの周縁部に突き当たって下端開口９０Ｂが閉塞されると共に、下流側端部流路１３の上流側開口１３Ｂが直動筒体３０Ｈの周壁で塞がれて、円筒壁９０の内側に水道水が流入しなくなる。この時点で水道メータ２０Ｈに装着されたＯリング３３Ｊは、円筒壁９０の内周面に密着している。また、閉塞盤７３Ｄの周縁部が円筒壁９０の下端開口９０Ｂの周縁部に突き当たることで直動筒体３０Ｈの上方への移動が規制される。なお、このときの直動筒体３０Ｈの位置が、本発明の「第２の位置」に相当する。
【０１５１】
ここからさらに水道メータ２０Ｈを引き上げると、羽根車収容筒２９が直動筒体３０Ｈの内周面に摺接しながら上方へ移動して、直動筒体３０Ｈの上端開口３２から引き抜かれる。このとき、閉塞盤７３Ｄは水圧により円筒壁９０の下端開口９０Ｂの周縁部に押し付けられ、円筒壁９０の下端開口９０Ｂと下流側端部流路１３の上流側開口１３Ｂが閉塞状態に保持される（図２９の状態）。
【０１５２】
検査が済んだ水道メータ２０Ｈ或いは新規な水道メータ２０Ｈは、円筒壁９０の上端開口９０Ａから直動筒体３０Ｈの内側に挿入する。水道メータ２０Ｈを直動筒体３０Ｈに挿入して押し込むと、すぐに水道メータ２０Ｈに装着されたＯリング３３Ｊが円筒壁９０の内周面に密着する。さらに水道メータ２０Ｈを押し込むと羽根車収容筒２９の下端部と直動筒体３０Ｈの下端開口のリブ７３Ａとが当接しかつ、表示部Ｍの下面に直動筒体３０Ｈの上端部が当接する。そしてこのとき、直動筒体３０Ｈの連通孔７２と羽根車収容筒２９の側部開口２９Ａとが整合する。ここからさらに水道メータ２０Ｈを押し込むと、水道メータ２０Ｈと共に直動筒体３０Ｈが円筒壁９０内を下方へ移動する。すると、閉塞盤７３Ｄが円筒壁９０の下端開口９０Ｂから離れると共に、直動筒体３０Ｈの周壁が下流側端部流路１３の上流側開口１３Ｂから徐々に退避する。そして、水道メータ２０Ｈが中間金具１０Ｈの最下部まで押し込むと、直動筒体３０Ｈが通水位置に達し、閉塞盤７３Ｄが中間金具１０Ｈの下端面に突き当たると共に、下流側端部流路１３の上流側開口１３Ｂと直動筒体３０Ｈの連通孔７２とが整合する（図２８の状態）。これにより、上流側端部流路１２と下流側端部流路１３との間が連通して、水道メータ２０Ｈにて通過体積が計測可能となる。なお、このときの直動筒体３０Ｈの位置が本発明の「第１の位置」に相当する。本実施形態によれば、第７実施形態と同等の効果を奏することができる。なお、本実施形態では、羽根車８３を利用して水道水の通過体積を計量していたが、電磁誘導又は超音波を利用して計量するようにしてもよい。
【０１５３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）図３０の（Ａ）に示すように、柱状構造体５５の内部に上流側端部流路と下流側端部流路とを互いに平行となるように設けると共に、上流側端部流路１２及び下流側端部流路１３にそれぞれボールバルブ５０Ａ，５０Ｂを設けて、それらをギヤ５０Ｃで連結してもよい。
【０１５４】
また、図３０の（Ｂ）に示すように、柱状構造体５５の内部に、柱状構造体５５に対して回転或いは直動可能な切り替え盤５１を収容し、その切り替え盤５１に上流側端部流路１２に対応した貫通孔５１Ａと下流側端部流路１３に対応した貫通孔５１Ｂとを設けて、切り替え盤５１を回転或いは直動させることで、それら貫通孔５１Ａ，５１Ｂが各端部流路１２，１３に整合した位置（図３０の（Ｂ）の状態）とずれた位置（図３０の（Ｃ）の状態）との間で移動するようにしてもよい。
【０１５５】
（２）上記第７実施形態では、水道管接続部１１Ｊ，１１Ｋの間を長ネジ６０，６０のみで連結していたが、図３１に示すように水道管接続部１１Ｊ，１１Ｋの間に長ネジ６０，６０に加えて長板部材Ｎを差し渡してもよい。長板部材Ｎは、幅方向において円弧状に湾曲した構造をなす。また長ネジ６０，６０及び長板部材Ｎは、可動部材３０Ｇが止水位置のときに水道メータ２０Ｇに重ならないような位置に配置する。具体的には、可動部材３０Ｇを通水位置（図３２の（Ａ）の状態）から９０度回動したときに止水位置（図３２の（Ｂ）の状態）となるように構成しかつ、長板部材Ｎの幅方向の長さを水道管接続部１１Ｊ，１１Ｋの嵌合筒体６２の全周の１／４程度にする。このようにすれば、可動部材３０Ｇを回動操作した際の長ネジ６０，６０のねじれが防がれる。なお、長板部材Ｎは複数のボルトＢＴによって水道管接続部１１Ｊ，１１Ｋに固定されるように構成しかつ、長板部材Ｎの一端側に形成されたボルト挿通孔ＨＢは長板部材Ｎを差し渡した状態で水道管接続部１１Ｊ，１１Ｋ同士が可動部材３０Ｇの軸方向へ移動できるように長円形とすることが好ましい。
【図面の簡単な説明】
【０１５６】
【図１】本発明の第１実施形態に係る水道メータシステムの正断面図
【図２】水道メータシステムの側断面図
【図３】通水状態における水道メータシステムの平断面図
【図４】止水状態における水道メータシステムの平断面図
【図５】水道メータを取り外した状態の水道メータシステムの正断面図
【図６】第２実施形態に係る水道メータシステムの正断面図
【図７】可動部材の斜視図
【図８】通水状態における水道メータシステムの平断面図
【図９】（Ａ）バイパス流路による通水状態時の水道メータシステムの平断面図（Ｂ）正断面図
【図１０】水道メータと可動部材の分解斜視図
【図１１】第３実施形態に係る水道メータシステムの正断面図
【図１２】可動部材の斜視図
【図１３】通水状態における水道メータシステムの平断面図
【図１４】（Ａ）バイパス流路による通水状態時の水道メータシステムの平断面図（Ｂ）正断面図
【図１５】止水状態における水道メータシステムの平断面図
【図１６】第４実施形態に係る水道メータシステムの正断面図
【図１７】水道メータシステムの側断面図
【図１８】（Ａ）水道メータシステムの正面図（Ｂ）側面図
【図１９】可動部材の斜視図
【図２０】（Ａ）バイパス流路による通水状態時の水道メータシステムの平断面図（Ｂ）図２０の（Ａ）におけるＸ−Ｘ断面図
【図２１】第５実施形態に係る水道メータシステムの正断面図
【図２２】第６実施形態に係る水道メータシステムの正断面図
【図２３】止水状態時の水道メータシステムの正断面図
【図２４】（Ａ）通水状態時の水道メータシステムの平断面図（Ｂ）止水状態時の水道メータシステムの平断面図
【図２５】第７実施形態に係る水道メータシステムの斜視図
【図２６】水道メータシステムの分解斜視図
【図２７】（Ａ）通水状態時の水道メータシステムの平断面図（Ｂ）止水位置に向かう途中の水道メータシステムの平断面図（Ｃ）止水状態時の水道メータ受容部の平断面図
【図２８】第８実施形態に係る水道メータシステムの正断面図
【図２９】止水状態時の水道メータシステムの平断面図
【図３０】他の実施形態（１）に係る水道メータシステムの部分断面図
【図３１】他の実施形態（２）に係る水道メータシステムの斜視図
【図３２】（Ａ）通水状態時の水道メータシステムの断面図（Ｂ）止水状態時の水道メータシステムの平断面図
【符号の説明】
【０１５７】
１０Ａ〜１０Ｈ    中間金具
１１Ａ〜１１Ｅ    メータ受容部
１１Ｆ    本体部（円柱部）
１１Ｇ    ベース部
１１Ｊ，１１Ｋ    水道管接続部
１２    上流側端部流路
１３    下流側端部流路
２０Ａ，２０Ｂ，２０Ｄ〜２０Ｇ    水道メータ
２１，２１Ｇ    計測流路
３０Ａ，３０Ｂ，３０Ｄ〜３０Ｇ    可動部材
３０Ｈ    直動筒体（直動部材、可動部材）
３１Ａ    上流側中継流路
３１Ｂ    下流側中継流路
３７，３８    バイパス流路
４０    操作レバー
６０    長ネジ（連結部材）
７０    ユニット取付凹部
７１    計測孔
７２    連通孔
７３Ｃ    脚部（連絡部材）
７３Ｄ    閉塞盤
９０    円筒壁（筒壁）
９０Ａ    上端開口（収容口）
９０Ｂ    下端開口（開閉口）
９１    包囲壁
１００〜８００    水道メータシステム
【図１】
2006275588.tif 000003
【図２】
2006275588.tif 000004
【図３】
2006275588.tif 000005
【図４】
2006275588.tif 000006
【図５】
2006275588.tif 000007
【図６】
2006275588.tif 000008
【図７】
2006275588.tif 000009
【図８】
2006275588.tif 000010
【図９】
2006275588.tif 000011
【図１０】
2006275588.tif 000012
【図１１】
2006275588.tif 000013
【図１２】
2006275588.tif 000014
【図１３】
2006275588.tif 000015
【図１４】
2006275588.tif 000016
【図１５】
2006275588.tif 000017
【図１６】
2006275588.tif 000018
【図１７】
2006275588.tif 000019
【図１８】
2006275588.tif 000020
【図１９】
2006275588.tif 000021
【図２０】
2006275588.tif 000022
【図２１】
2006275588.tif 000023
【図２２】
2006275588.tif 000024
【図２３】
2006275588.tif 000025
【図２４】
2006275588.tif 000026
【図２５】
2006275588.tif 000027
【図２６】
2006275588.tif 000028
【図２７】
2006275588.tif 000029
【図２８】
2006275588.tif 000030
【図２９】
2006275588.tif 000031
【図３０】
2006275588.tif 000032
【図３１】
2006275588.tif 000033
【図３２】
2006275588.tif 000034